(57)【要約】【課題】通信端末に必要な通信端末情報をより簡便に通信端末に記憶させる。【解決手段】情報送信装置２の通信端末情報記憶部２１では、通信端末情報１Ａに通信端末識別情報１０Ａが対応づけられている。通信端末１が回線交換網３に接続され、情報送信装置２を示す情報送信装置識別情報２０Ａが通信端末１から回線交換網３に送信され、情報送信装置識別情報２０Ａで示される情報送信装置２に回線交換網３から、通信端末１を示す通信端末識別情報１０Ａが送信され、当該通信端末識別情報１０Ａを対応づけられた通信端末情報１Ａが通信端末情報記憶部２１から読み出される。情報送信装置２の通信制御部２２は、この通信端末情報１Ａを通信端末１宛で回線交換網３に送信する。【選択図】図２
2006254069.tif 000002
【特許請求の範囲】
【請求項１】
通信端末に送信される通信端末情報が記憶される通信端末情報記憶手段で通信端末情報に通信端末を示す通信端末識別情報が対応づけられ、
通信端末情報を送信する情報送信装置を示す情報送信装置識別情報が記憶される情報送信装置識別情報記憶手段が通信端末に設けられ、
通信端末が網に接続されたとき、
通信端末が情報送信装置識別情報記憶手段から情報送信装置識別情報を読み出すステップと、
当該情報送信装置識別情報を通信端末が網に送信するステップと、
当該情報送信装置識別情報で示される情報送信装置に通信端末を示す通信端末識別情報が網から送信され、
当該通信端末識別情報を対応づけられた通信端末情報が通信端末情報記憶手段から読み出されたときの通信端末情報を情報送信装置が通信端末宛で網に送信するステップと、
通信端末が当該通信端末情報を網から受信するステップと
を有することを特徴とする情報送受信方法。
【請求項２】
通信端末に送信される通信端末情報が記憶される通信端末情報記憶手段で通信端末情報に通信端末を示す通信端末識別情報と付加情報とが対応づけられ、
通信端末情報を送信する情報送信装置を示す情報送信装置識別情報が記憶される情報送信装置識別情報記憶手段と、付加情報が記憶される付加情報記憶手段とが通信端末に設けられ、
通信端末が網に接続されたとき、
通信端末が情報送信装置識別情報記憶手段から情報送信装置識別情報を読み出すステップと、
通信端末が付加情報記憶手段から付加情報を読み出すステップと、
当該情報送信装置識別情報と当該付加情報とを通信端末が網に送信するステップと、
当該情報送信装置識別情報で示される情報送信装置に通信端末を示す通信端末識別情報と当該付加情報とが網から送信され、
当該通信端末識別情報と当該付加情報とを対応づけられた通信端末情報が通信端末情報記憶手段から読み出されたときの通信端末情報を情報送信装置が通信端末宛で網に送信するステップと、
当該通信端末情報を通信端末が網から受信するステップと
を有することを特徴とする情報送受信方法。
【請求項３】
通信端末に送信される通信端末情報に対応するキー情報が記憶されるキー情報記憶手段で通信端末を示す通信端末識別情報がキー情報に対応づけられ、
通信端末情報が記憶される通信端末情報記憶手段で通信端末情報にキー情報が対応づけられ、
キー情報を送信する情報送信装置を示す情報送信装置識別情報が記憶される情報送信装置識別情報記憶手段と、通信端末情報を送信する第２情報送信装置を示す第２情報送信装置識別情報が記憶される第２情報送信装置識別情報記憶手段とが通信端末に設けられ、
通信端末が網に接続されたとき、
通信端末が情報送信装置識別情報記憶手段から情報送信装置識別情報を読み出すステップと、
当該情報送信装置識別情報を通信端末が網に送信するステップと、
当該情報送信装置識別情報で示される情報送信装置に通信端末を示す通信端末識別情報が網から送信され、
当該通信端末識別情報を対応づけられたキー情報がキー情報記憶手段から読み出されたときのキー情報を情報送信装置が網に通信端末宛で送信するステップと、
当該キー情報が網から通信端末に送信されたとき、
通信端末が第２情報送信装置識別情報記憶手段から第２情報送信装置識別情報を読み出すステップと、
当該キー情報と当該第２情報送信装置識別情報とを通信端末が第２網に送信するステップと、
当該第２情報送信装置識別情報で示される第２情報送信装置に第２網から当該キー情報が送信され、
当該キー情報を対応づけられた通信端末情報が通信端末情報記憶手段から読み出されたときの通信端末情報を第２情報送信装置が第２網に通信端末宛で送信するステップと、
当該通信端末情報を通信端末が第２網から受信するステップと
を有することを特徴とする情報送受信方法。
【請求項４】
通信端末に送信される通信端末情報が記憶される通信端末情報記憶手段で第２通信端末を示す第２通信端末識別情報が通信端末情報に対応づけられ、
通信端末が第２通信端末に接続され、
通信端末情報を送信する情報送信装置を示す情報送信装置識別情報が第２通信端末に入力され第２通信端末が網に接続されたとき、
当該情報送信装置識別情報を第２通信端末が網に送信するステップと、
当該情報送信装置識別情報で示される情報送信装置に第２通信端末を示す第２通信端末識別情報が網から送信され、
当該第２通信端末識別情報を対応づけられた通信端末情報が通信端末情報記憶手段から読み出されたときの通信端末情報を情報送信装置が第２通信端末宛で網に送信するステップと、
当該通信端末情報を第２通信端末が網から受信するステップと、
当該通信端末情報を第２通信端末が通信端末に送信するステップと、
当該通信端末情報を通信端末が受信するステップと
を有することを特徴とする情報送受信方法。
【請求項５】
通信端末に送信される通信端末情報に対応するキー情報が記憶されるキー情報記憶手段で第２通信端末を示す第２通信端末識別情報がキー情報に対応づけられ、
通信端末情報が記憶される通信端末情報記憶手段で通信端末情報にキー情報が対応づけられ、
キー情報を送信する情報送信装置と通信端末情報を送信する第２情報送信装置の内の当該第２情報送信装置を示す第２情報送信装置識別情報が記憶される第２情報送信装置識別情報記憶手段が通信端末に設けられ、
通信端末が第２通信端末に接続され、
情報送信装置を示す情報送信装置識別情報が第２通信端末に入力され第２通信端末が網に接続されたとき、
第２通信端末が当該情報送信装置識別情報を網に送信するステップと、
当該情報送信装置識別情報で示される情報送信装置に第２通信端末を示す第２通信端末識別情報が網から送信され、
当該第２通信端末識別情報を対応づけられたキー情報がキー情報記憶手段から読み出されたときのキー情報を情報送信装置が網に第２通信端末宛で送信するステップと、
当該キー情報を第２通信端末が網から受信するステップと、
当該キー情報を第２通信端末が通信端末に送信するステップと、
当該キー情報を通信端末が受信するステップと、
通信端末が第２情報送信装置識別情報記憶手段から第２情報送信装置識別情報を読み出すステップと、
当該第２情報送信装置識別情報と当該キー情報とを通信端末が第２網に送信するステップと、
当該第２情報送信装置識別情報で示される第２情報送信装置に当該キー情報が第２網から送信され、
当該キー情報を対応づけられた通信端末情報が通信端末情報記憶手段から読み出されたときの通信端末情報を第２情報送信装置が第２網に通信端末宛で送信するステップと
当該通信端末情報を通信端末が第２網から受信するステップと
を有することを特徴とする情報送受信方法。
【請求項６】
通信端末−網間の伝送路と通信端末−第２網間の伝送路が同一な有線伝送路上に周波数分割でそれぞれ構成されていることを特徴とする請求項３または５記載の情報送受信方法。
【請求項７】
キー情報が暗号化されていることを特徴とする請求項３または５記載の情報送受信方法。
【請求項８】
情報送信装置識別情報を網に送信するに先立ち、
通信端末情報の要否を判定し、必要と判定されたとき、当該情報送信装置識別情報を網に送信する
ことを特徴とする請求項１ないし３のいずれかに記載の情報送受信方法。
【請求項９】
通信端末に送信される通信端末情報を送信する情報送信装置であって、
通信端末情報が記憶される通信端末情報記憶手段で通信端末情報に通信端末を示す通信端末識別情報が対応づけられ、
情報送信装置自身を示す情報送信装置識別情報が記憶される情報送信装置識別情報記憶手段が通信端末に設けられ、
通信端末が網に接続され、
通信端末で情報送信装置識別情報記憶手段から情報送信装置識別情報が読み出され、
当該情報送信装置識別情報が通信端末から網に送信され、
当該情報送信装置識別情報で示される情報送信装置自身に通信端末を示す通信端末識別情報が網から送信され、
当該通信端末識別情報を対応づけられた通信端末情報が通信端末情報記憶手段から読み出されたときの通信端末情報を通信端末宛で網に送信する手段
を有することを特徴とする情報送信装置。
【請求項１０】
通信端末に送信される通信端末情報を送信する情報送信装置であって、
通信端末情報が記憶される通信端末情報記憶手段で通信端末情報に通信端末を示す通信端末識別情報と付加情報とが対応づけられ、
情報送信装置自身を示す情報送信装置識別情報が記憶される情報送信装置識別情報記憶手段と、付加情報が記憶される付加情報記憶手段とが通信端末に設けられ、
通信端末が網に接続され、
通信端末で情報送信装置識別情報記憶手段から情報送信装置識別情報が読み出され、
通信端末で付加情報記憶手段から付加情報が読み出され、
当該情報送信装置識別情報と当該付加情報とが通信端末から網に送信され、
当該情報送信装置識別情報で示される情報送信装置自身に通信端末を示す通信端末識別情報と当該付加情報とが網から送信され、
当該識別情報と当該付加情報とを対応づけられた通信端末情報が通信端末情報記憶手段から読み出されたときの通信端末情報を通信端末宛で網に送信する手段
を有することを特徴とする情報送信装置。
【請求項１１】
通信端末に送信される通信端末情報に対応するキー情報を送信する情報送信装置と通信端末情報を送信する第２情報送信装置とを有する情報送信システムであって、
キー情報が記憶されるキー情報記憶手段で通信端末を示す通信端末識別情報がキー情報に対応づけられ、
通信端末情報が記憶される通信端末情報記憶手段で通信端末情報にキー情報が対応づけられ、
情報送信装置を示す情報送信装置識別情報が記憶される情報送信装置識別情報記憶手段と、第２情報送信装置を示す第２情報送信装置識別情報が記憶される第２情報送信装置識別情報記憶手段とが通信端末に設けられ、
通信端末が網に接続され、
通信端末で情報送信装置識別情報記憶手段から情報送信装置識別情報が読み出され、
当該情報送信装置識別情報が通信端末から網に送信され、
当該情報送信装置識別情報で示される情報送信装置に通信端末を示す通信端末識別情報が網から送信されたとき、
当該通信端末識別情報を対応づけられたキー情報をキー情報記憶手段から読み出す手段と、当該キー情報を網に通信端末宛で送信する手段とを情報送信装置が有し、
当該キー情報が網から通信端末に送信され、
通信端末で第２情報送信装置識別情報記憶手段から第２情報送信装置識別情報が読み出され、
当該キー情報と当該第２情報送信装置識別情報とが通信端末から第２網に送信され、
当該第２情報送信装置識別情報で示される第２情報送信装置に第２網から当該キー情報が送信されたとき、
当該キー情報を対応づけられた通信端末情報を通信端末情報記憶手段から読み出す手段と、当該通信端末情報を第２網に通信端末宛で送信する手段とを第２情報送信装置が有する
ことを特徴とする情報送信システム。
【請求項１２】
通信端末に送信される通信端末情報を送信する情報送信装置であって、
通信端末情報が記憶される通信端末情報記憶手段で第２通信端末を示す第２通信端末識別情報が通信端末情報に対応づけられ、
通信端末が第２通信端末に接続され、
通信端末情報を送信する情報送信装置を示す情報送信装置識別情報が第２通信端末に入力され第２通信端末が網に接続され、
当該情報送信装置識別情報が第２通信端末から網に送信され、
当該情報送信装置識別情報で示される情報送信装置に第２通信端末を示す第２通信端末識別情報が網から送信され、
当該第２通信端末識別情報を対応づけられた通信端末情報が通信端末情報記憶手段から読み出されたときの通信端末情報を第２通信端末宛で網に送信する手段
を有することを特徴とする情報送信装置。
【請求項１３】
通信端末に送信される通信端末情報に対応するキー情報を送信する情報送信装置と通信端末情報を送信する第２情報送信装置とを有する情報送信システムであって、
キー情報が記憶されるキー情報記憶手段で第２通信端末を示す第２通信端末識別情報がキー情報に対応づけられ、
通信端末情報が記憶される通信端末情報記憶手段で通信端末情報にキー情報が対応づけられ、
第２情報送信装置を示す第２情報送信装置識別情報が記憶される第２情報送信装置識別情報記憶手段が通信端末に設けられ、
通信端末が第２通信端末に接続され、
情報送信装置を示す情報送信装置識別情報が第２通信端末に入力され第２通信端末が網に接続され、
当該情報送信装置識別情報が第２通信端末から網に送信され、
当該情報送信装置識別情報で示される情報送信装置に第２通信端末を示す第２通信端末識別情報が網から送信され、
当該第２通信端末識別情報を対応づけられたキー情報がキー情報記憶手段から読み出されたときのキー情報を網に第２通信端末宛で送信する手段を情報送信装置が有し、
当該キー情報が網から第２通信端末に送信され、
当該キー情報が第２通信端末から通信端末に送信され、
当該キー情報が通信端末で受信され、
通信端末で第２情報送信装置識別情報記憶手段から第２情報送信装置識別情報が読み出され、
当該第２情報送信装置識別情報と当該キー情報とが通信端末から第２網に送信され、
当該第２情報送信装置識別情報で示される第２情報送信装置に当該キー情報が第２網から送信され、
当該キー情報を対応づけられた通信端末情報が通信端末情報記憶手段から読み出されたときの通信端末情報を第２網に通信端末宛で送信する手段を第２情報送信装置が有する
ことを特徴とする情報送信システム。
【請求項１４】
通信端末に送信される通信端末情報が記憶される通信端末情報記憶手段で通信端末情報に通信端末を示す通信端末識別情報が対応づけられているときの通信端末情報を送信する情報送信装置を示す情報送信装置識別情報が記憶される情報送信装置識別情報記憶手段と、
通信端末が網に接続されたとき、
情報送信装置識別情報記憶手段から情報送信装置識別情報を読み出す手段と、
当該情報送信装置識別情報を網に送信する手段とを備え、
当該情報送信装置識別情報で示される情報送信装置に通信端末を示す通信端末識別情報が網から送信され、
当該通信端末識別情報を対応づけられた通信端末情報が通信端末情報記憶手段から読み出されたときの通信端末情報が情報送信装置から網に通信端末宛で送信されたとき、
当該通信端末情報を網から受信する
ことを特徴とする通信端末。
【請求項１５】
通信端末に送信される通信端末情報が記憶される通信端末情報記憶手段で通信端末情報に通信端末を示す通信端末識別情報と付加情報とが対応づけられときの通信端末情報を送信する情報送信装置を示す情報送信装置識別情報が記憶される情報送信装置識別情報記憶手段と、
付加情報が記憶される付加情報記憶手段と、
通信端末が網に接続されたとき、
情報送信装置識別情報記憶手段から情報送信装置識別情報を読み出す手段と、
付加情報記憶手段から付加情報を読み出す手段と、
当該情報送信装置識別情報と当該付加情報とを網に送信する手段とを備え、
当該情報送信装置識別情報で示される情報送信装置に通信端末を示す通信端末識別情報と当該付加情報とが網から送信され、
当該通信端末識別情報と当該付加情報とを対応づけられた通信端末情報が通信端末情報記憶手段から読み出されたときの通信端末情報が情報送信装置から網に通信端末宛で送信されたとき、
当該通信端末情報を網から受信する
ことを特徴とする通信端末。
【請求項１６】
通信端末に送信される通信端末情報に対応するキー情報が記憶されるキー情報記憶手段で通信端末を示す通信端末識別情報がキー情報に対応づけられ、
通信端末情報が記憶される通信端末情報記憶手段で通信端末情報にキー情報が対応づけられているときのキー情報を送信する情報送信装置を示す情報送信装置識別情報が記憶される情報送信装置識別情報記憶手段と、
通信端末情報を送信する第２情報送信装置を示す第２情報送信装置識別情報が記憶される第２情報送信装置識別情報記憶手段と、
通信端末が網に接続されたとき、
情報送信装置識別情報記憶手段から情報送信装置識別情報を読み出す手段と、
当該情報送信装置識別情報を網に送信する手段とを備え、
当該情報送信装置識別情報で示される情報送信装置に通信端末を示す通信端末識別情報が網から送信され、
当該通信端末識別情報を対応づけられたキー情報がキー情報記憶手段から読み出されたときのキー情報が情報送信装置から網に通信端末宛で送信されたとき、
当該キー情報を網から受信し、
第２情報送信装置識別情報記憶手段から第２情報送信装置識別情報を読み出し、
当該キー情報と当該第２情報送信装置識別情報とを第２網に送信し、
当該第２情報送信装置識別情報で示される第２情報送信装置に第２網から当該キー情報が送信され、
当該キー情報を対応づけられた通信端末情報が通信端末情報記憶手段から読み出されたときの通信端末情報が第２情報送信装置から第２網に通信端末宛で送信されたとき、
当該通信端末情報を第２網から受信する
ことを特徴とする通信端末。
【請求項１７】
通信端末に送信される通信端末情報が記憶される通信端末情報記憶手段で第２通信端末を示す第２通信端末識別情報が通信端末情報に対応づけられ、
通信端末が第２通信端末に接続され、
通信端末情報を送信する情報送信装置を示す情報送信装置識別情報が第２通信端末に入力され第２通信端末が網に接続され、
当該情報送信装置識別情報が第２通信端末から網に送信され、
当該情報送信装置識別情報で示される情報送信装置に第２通信端末を示す第２通信端末識別情報が網から送信され、
当該第２通信端末識別情報を対応づけられた通信端末情報が通信端末情報記憶手段から読み出されたときの通信端末情報が情報送信装置から第２通信端末宛で網に送信され、
当該通信端末情報が第２通信端末で網から受信され、
当該通信端末情報が第２通信端末から通信端末に送信されたとき、
当該通信端末情報を受信する手段
を有することを特徴とする通信端末。
【請求項１８】
通信端末に送信される通信端末情報に対応するキー情報が記憶されるキー情報記憶手段で第２通信端末を示す第２通信端末識別情報がキー情報に対応づけられ、
通信端末情報が記憶される通信端末情報記憶手段で通信端末情報にキー情報が対応づけられ、
キー情報を送信する情報送信装置と通信端末情報を送信する第２情報送信装置とが設けられているとき当該第２情報送信装置を示す第２情報送信装置識別情報が記憶される第２情報送信装置識別情報記憶手段と、
通信端末が第２通信端末に接続され、
情報送信装置を示す情報送信装置識別情報が第２通信端末に入力され第２通信端末が網に接続され、
第２通信端末から当該情報送信装置識別情報が網に送信され、
当該情報送信装置識別情報で示される情報送信装置に第２通信端末を示す第２通信端末識別情報が網から送信され、
当該第２通信端末識別情報を対応づけられたキー情報がキー情報記憶手段から読み出されたときのキー情報が情報送信装置から網に第２通信端末宛で送信され、
当該キー情報が第２通信端末で網から受信され、
当該キー情報が第２通信端末から通信端末に送信されたとき、
第２情報送信装置識別情報記憶手段から第２情報送信装置識別情報を読み出す手段と、  当該第２情報送信装置識別情報と当該キー情報とを第２網に送信する手段とを備え、
当該第２情報送信装置識別情報で示される第２情報送信装置に当該キー情報が第２網から送信され、
当該キー情報を対応づけられた通信端末情報が通信端末情報記憶手段から読み出されたときの通信端末情報が第２情報送信装置から第２網に通信端末宛で送信されたとき、
当該通信端末情報を第２網から受信する
ことを特徴とする通信端末。
【請求項１９】
請求項１ないし８のいずれかに記載の情報送受信方法を実行させるコンピュータプログラム。
【請求項２０】
請求項１９記載のコンピュータプログラムが記録されたコンピュータ読み取り可能な記録媒体。
【発明の詳細な説明】
【技術分野】
【０００１】
本発明は、通信端末に必要な通信端末情報を通信端末に記憶させることができる情報送受信方法、情報送信装置、情報送信システムおよび通信端末に関する。
【背景技術】
【０００２】
今日において通信端末は高機能化する一方であり、その通信端末に必要な情報を記憶させる作業は、煩雑化する傾向にある。
【０００３】
これを解消すべく、例えば、インターネットに接続する通信端末に適した通信パラメータ（通信端末情報）を簡便に記憶させる技術が提案されている（例えば、特許文献１参照）。
【特許文献１】国際公開番号  ＷＯ  ０２／００１３７１
【発明の開示】
【発明が解決しようとする課題】
【０００４】
しかしながら、その作業は依然として煩雑であり、さらなる簡便化が望まれている。
【０００５】
本発明は、上記の課題に鑑みてなされたものであり、その目的とするところは、通信端末に必要な通信端末情報をより簡便に通信端末に記憶させることができる情報送受信方法、情報送信装置、情報送信システムおよび通信端末を提供することにある。
【課題を解決するための手段】
【０００６】
上記の課題を解決するために、請求項１の本発明は、通信端末に送信される通信端末情報が記憶される通信端末情報記憶手段で通信端末情報に通信端末を示す通信端末識別情報が対応づけられ、通信端末情報を送信する情報送信装置を示す情報送信装置識別情報が記憶される情報送信装置識別情報記憶手段が通信端末に設けられ、通信端末が網に接続されたとき、通信端末が情報送信装置識別情報記憶手段から情報送信装置識別情報を読み出すステップと、当該情報送信装置識別情報を通信端末が網に送信するステップと、当該情報送信装置識別情報で示される情報送信装置に通信端末を示す通信端末識別情報が網から送信され、当該通信端末識別情報を対応づけられた通信端末情報が通信端末情報記憶手段から読み出されたときの通信端末情報を情報送信装置が通信端末宛で網に送信するステップと、通信端末が当該通信端末情報を網から受信するステップとを有することを特徴とする情報送受信方法をもって解決手段とする。
【０００７】
請求項２の本発明は、通信端末に送信される通信端末情報が記憶される通信端末情報記憶手段で通信端末情報に通信端末を示す通信端末識別情報と付加情報とが対応づけられ、通信端末情報を送信する情報送信装置を示す情報送信装置識別情報が記憶される情報送信装置識別情報記憶手段と、付加情報が記憶される付加情報記憶手段とが通信端末に設けられ、通信端末が網に接続されたとき、通信端末が情報送信装置識別情報記憶手段から情報送信装置識別情報を読み出すステップと、通信端末が付加情報記憶手段から付加情報を読み出すステップと、当該情報送信装置識別情報と当該付加情報とを通信端末が網に送信するステップと、当該情報送信装置識別情報で示される情報送信装置に通信端末を示す通信端末識別情報と当該付加情報とが網から送信され、当該通信端末識別情報と当該付加情報とを対応づけられた通信端末情報が通信端末情報記憶手段から読み出されたときの通信端末情報を情報送信装置が通信端末宛で網に送信するステップと、当該通信端末情報を通信端末が網から受信するステップとを有することを特徴とする情報送受信方法をもって解決手段とする。
【０００８】
請求項３の本発明は、通信端末に送信される通信端末情報に対応するキー情報が記憶されるキー情報記憶手段で通信端末を示す通信端末識別情報がキー情報に対応づけられ、通信端末情報が記憶される通信端末情報記憶手段で通信端末情報にキー情報が対応づけられ、キー情報を送信する情報送信装置を示す情報送信装置識別情報が記憶される情報送信装置識別情報記憶手段と、通信端末情報を送信する第２情報送信装置を示す第２情報送信装置識別情報が記憶される第２情報送信装置識別情報記憶手段とが通信端末に設けられ、通信端末が網に接続されたとき、通信端末が情報送信装置識別情報記憶手段から情報送信装置識別情報を読み出すステップと、当該情報送信装置識別情報を通信端末が網に送信するステップと、当該情報送信装置識別情報で示される情報送信装置に通信端末を示す通信端末識別情報が網から送信され、当該通信端末識別情報を対応づけられたキー情報がキー情報記憶手段から読み出されたときのキー情報を情報送信装置が網に通信端末宛で送信するステップと、当該キー情報が網から通信端末に送信されたとき、通信端末が第２情報送信装置識別情報記憶手段から第２情報送信装置識別情報を読み出すステップと、当該キー情報と当該第２情報送信装置識別情報とを通信端末が第２網に送信するステップと、当該第２情報送信装置識別情報で示される第２情報送信装置に第２網から当該キー情報が送信され、当該キー情報を対応づけられた通信端末情報が通信端末情報記憶手段から読み出されたときの通信端末情報を第２情報送信装置が第２網に通信端末宛で送信するステップと、当該通信端末情報を通信端末が第２網から受信するステップとを有することを特徴とする情報送受信方法をもって解決手段とする。
【０００９】
請求項４の本発明は、通信端末に送信される通信端末情報が記憶される通信端末情報記憶手段で第２通信端末を示す第２通信端末識別情報が通信端末情報に対応づけられ、通信端末が第２通信端末に接続され、通信端末情報を送信する情報送信装置を示す情報送信装置識別情報が第２通信端末に入力され第２通信端末が網に接続されたとき、当該情報送信装置識別情報を第２通信端末が網に送信するステップと、当該情報送信装置識別情報で示される情報送信装置に第２通信端末を示す第２通信端末識別情報が網から送信され、当該第２通信端末識別情報を対応づけられた通信端末情報が通信端末情報記憶手段から読み出されたときの通信端末情報を情報送信装置が第２通信端末宛で網に送信するステップと、当該通信端末情報を第２通信端末が網から受信するステップと、当該通信端末情報を第２通信端末が通信端末に送信するステップと、当該通信端末情報を通信端末が受信するステップとを有することを特徴とする情報送受信方法をもって解決手段とする。
【００１０】
請求項５の本発明は、通信端末に送信される通信端末情報に対応するキー情報が記憶されるキー情報記憶手段で第２通信端末を示す第２通信端末識別情報がキー情報に対応づけられ、通信端末情報が記憶される通信端末情報記憶手段で通信端末情報にキー情報が対応づけられ、キー情報を送信する情報送信装置と通信端末情報を送信する第２情報送信装置の内の当該第２情報送信装置を示す第２情報送信装置識別情報が記憶される第２情報送信装置識別情報記憶手段が通信端末に設けられ、通信端末が第２通信端末に接続され、情報送信装置を示す情報送信装置識別情報が第２通信端末に入力され第２通信端末が網に接続されたとき、第２通信端末が当該情報送信装置識別情報を網に送信するステップと、当該情報送信装置識別情報で示される情報送信装置に第２通信端末を示す第２通信端末識別情報が網から送信され、当該第２通信端末識別情報を対応づけられたキー情報がキー情報記憶手段から読み出されたときのキー情報を情報送信装置が網に第２通信端末宛で送信するステップと、当該キー情報を第２通信端末が網から受信するステップと、当該キー情報を第２通信端末が通信端末に送信するステップと、当該キー情報を通信端末が受信するステップと、通信端末が第２情報送信装置識別情報記憶手段から第２情報送信装置識別情報を読み出すステップと、当該第２情報送信装置識別情報と当該キー情報とを通信端末が第２網に送信するステップと、当該第２情報送信装置識別情報で示される第２情報送信装置に当該キー情報が第２網から送信され、当該キー情報を対応づけられた通信端末情報が通信端末情報記憶手段から読み出されたときの通信端末情報を第２情報送信装置が第２網に通信端末宛で送信するステップと当該通信端末情報を通信端末が第２網から受信するステップとを有することを特徴とする情報送受信方法をもって解決手段とする。
【００１１】
請求項６の本発明は、通信端末−網間の伝送路と通信端末−第２網間の伝送路が同一な有線伝送路上に周波数分割でそれぞれ構成されていることを特徴とする請求項３または５記載の情報送受信方法をもって解決手段とする。
【００１２】
請求項７の本発明は、キー情報が暗号化されていることを特徴とする請求項３または５記載の情報送受信方法をもって解決手段とする。
【００１３】
請求項８の本発明は、情報送信装置識別情報を網に送信するに先立ち、通信端末情報の要否を判定し、必要と判定されたとき、当該情報送信装置識別情報を網に送信することを特徴とする請求項１ないし３のいずれかに記載の情報送受信方法をもって解決手段とする。
【００１４】
請求項９の本発明は、通信端末に送信される通信端末情報を送信する情報送信装置であって、通信端末情報が記憶される通信端末情報記憶手段で通信端末情報に通信端末を示す通信端末識別情報が対応づけられ、情報送信装置自身を示す情報送信装置識別情報が記憶される情報送信装置識別情報記憶手段が通信端末に設けられ、通信端末が網に接続され、通信端末で情報送信装置識別情報記憶手段から情報送信装置識別情報が読み出され、当該情報送信装置識別情報が通信端末から網に送信され、当該情報送信装置識別情報で示される情報送信装置自身に通信端末を示す通信端末識別情報が網から送信され、当該通信端末識別情報を対応づけられた通信端末情報が通信端末情報記憶手段から読み出されたときの通信端末情報を通信端末宛で網に送信する手段を有することを特徴とする情報送信装置をもって解決手段とする。
【００１５】
請求項１０の本発明は、通信端末に送信される通信端末情報を送信する情報送信装置であって、通信端末情報が記憶される通信端末情報記憶手段で通信端末情報に通信端末を示す通信端末識別情報と付加情報とが対応づけられ、情報送信装置自身を示す情報送信装置識別情報が記憶される情報送信装置識別情報記憶手段と、付加情報が記憶される付加情報記憶手段とが通信端末に設けられ、通信端末が網に接続され、通信端末で情報送信装置識別情報記憶手段から情報送信装置識別情報が読み出され、通信端末で付加情報記憶手段から付加情報が読み出され、当該情報送信装置識別情報と当該付加情報とが通信端末から網に送信され、当該情報送信装置識別情報で示される情報送信装置自身に通信端末を示す通信端末識別情報と当該付加情報とが網から送信され、当該通信端末識別情報と当該付加情報とを対応づけられた通信端末情報が通信端末情報記憶手段から読み出されたときの通信端末情報を通信端末宛で網に送信する手段を有することを特徴とする情報送信装置をもって解決手段とする。
【００１６】
請求項１１の本発明は、通信端末に送信される通信端末情報に対応するキー情報を送信する情報送信装置と通信端末情報を送信する第２情報送信装置とを有する情報送信システムであって、キー情報が記憶されるキー情報記憶手段で通信端末を示す通信端末識別情報がキー情報に対応づけられ、通信端末情報が記憶される通信端末情報記憶手段で通信端末情報にキー情報が対応づけられ、情報送信装置を示す情報送信装置識別情報が記憶される情報送信装置識別情報記憶手段と、第２情報送信装置を示す第２情報送信装置識別情報が記憶される第２情報送信装置識別情報記憶手段とが通信端末に設けられ、通信端末が網に接続され、通信端末で情報送信装置識別情報記憶手段から情報送信装置識別情報が読み出され、当該情報送信装置識別情報が通信端末から網に送信され、当該情報送信装置識別情報で示される情報送信装置に通信端末を示す通信端末識別情報が網から送信されたとき、当該通信端末識別情報を対応づけられたキー情報をキー情報記憶手段から読み出す手段と、当該キー情報を網に通信端末宛で送信する手段とを情報送信装置が有し、当該キー情報が網から通信端末に送信され、通信端末で第２情報送信装置識別情報記憶手段から第２情報送信装置識別情報が読み出され、当該キー情報と当該第２情報送信装置識別情報とが通信端末から第２網に送信され、当該第２情報送信装置識別情報で示される第２情報送信装置に第２網から当該キー情報が送信されたとき、当該キー情報を対応づけられた通信端末情報を通信端末情報記憶手段から読み出す手段と、当該通信端末情報を第２網に通信端末宛で送信する手段とを第２情報送信装置が有することを特徴とする情報送信システムをもって解決手段とする。
【００１７】
請求項１２の本発明は、通信端末に送信される通信端末情報を送信する情報送信装置であって、通信端末情報が記憶される通信端末情報記憶手段で第２通信端末を示す第２通信端末識別情報が通信端末情報に対応づけられ、通信端末が第２通信端末に接続され、通信端末情報を送信する情報送信装置を示す情報送信装置識別情報が第２通信端末に入力され第２通信端末が網に接続され、当該情報送信装置識別情報が第２通信端末から網に送信され、当該情報送信装置識別情報で示される情報送信装置に第２通信端末を示す第２通信端末識別情報が網から送信され、当該第２通信端末識別情報を対応づけられた通信端末情報が通信端末情報記憶手段から読み出されたときの通信端末情報を第２通信端末宛で網に送信する手段を有することを特徴とする情報送信装置をもって解決手段とする。
【００１８】
請求項１３の本発明は、通信端末に送信される通信端末情報に対応するキー情報を送信する情報送信装置と通信端末情報を送信する第２情報送信装置とを有する情報送信システムであって、キー情報が記憶されるキー情報記憶手段で第２通信端末を示す第２通信端末識別情報がキー情報に対応づけられ、通信端末情報が記憶される通信端末情報記憶手段で通信端末情報にキー情報が対応づけられ、第２情報送信装置を示す第２情報送信装置識別情報が記憶される第２情報送信装置識別情報記憶手段が通信端末に設けられ、通信端末が第２通信端末に接続され、情報送信装置を示す情報送信装置識別情報が第２通信端末に入力され第２通信端末が網に接続され、当該情報送信装置識別情報が第２通信端末から網に送信され、当該情報送信装置識別情報で示される情報送信装置に第２通信端末を示す第２通信端末識別情報が網から送信され、当該第２通信端末識別情報を対応づけられたキー情報がキー情報記憶手段から読み出されたときのキー情報を網に第２通信端末宛で送信する手段を情報送信装置が有し、当該キー情報が網から第２通信端末に送信され、当該キー情報が第２通信端末から通信端末に送信され、当該キー情報が通信端末で受信され、通信端末で第２情報送信装置識別情報記憶手段から第２情報送信装置識別情報が読み出され、当該第２情報送信装置識別情報と当該キー情報とが通信端末から第２網に送信され、当該第２情報送信装置識別情報で示される第２情報送信装置に当該キー情報が第２網から送信され、当該キー情報を対応づけられた通信端末情報が通信端末情報記憶手段から読み出されたときの通信端末情報を第２網に通信端末宛で送信する手段を第２情報送信装置が有することを特徴とする情報送信システムをもって解決手段とする。
【００１９】
請求項１４の本発明は、通信端末に送信される通信端末情報が記憶される通信端末情報記憶手段で通信端末情報に通信端末を示す通信端末識別情報が対応づけられているときの通信端末情報を送信する情報送信装置を示す情報送信装置識別情報が記憶される情報送信装置識別情報記憶手段と、通信端末が網に接続されたとき、情報送信装置識別情報記憶手段から情報送信装置識別情報を読み出す手段と、当該情報送信装置識別情報を網に送信する手段とを備え、当該情報送信装置識別情報で示される情報送信装置に通信端末を示す通信端末識別情報が網から送信され、当該通信端末識別情報を対応づけられた通信端末情報が通信端末情報記憶手段から読み出されたときの通信端末情報が情報送信装置から網に通信端末宛で送信されたとき、当該通信端末情報を網から受信することを特徴とする通信端末をもって解決手段とする。
【００２０】
請求項１５の本発明は、通信端末に送信される通信端末情報が記憶される通信端末情報記憶手段で通信端末情報に通信端末を示す通信端末識別情報と付加情報とが対応づけられときの通信端末情報を送信する情報送信装置を示す情報送信装置識別情報が記憶される情報送信装置識別情報記憶手段と、付加情報が記憶される付加情報記憶手段と、通信端末が網に接続されたとき、情報送信装置識別情報記憶手段から情報送信装置識別情報を読み出す手段と、付加情報記憶手段から付加情報を読み出す手段と、当該情報送信装置識別情報と当該付加情報とを網に送信する手段とを備え、当該情報送信装置識別情報で示される情報送信装置に通信端末を示す通信端末識別情報と当該付加情報とが網から送信され、当該通信端末識別情報と当該付加情報とを対応づけられた通信端末情報が通信端末情報記憶手段から読み出されたときの通信端末情報が情報送信装置から網に通信端末宛で送信されたとき、当該通信端末情報を網から受信することを特徴とする通信端末をもって解決手段とする。
【００２１】
請求項１６の本発明は、通信端末に送信される通信端末情報に対応するキー情報が記憶されるキー情報記憶手段で通信端末を示す通信端末識別情報がキー情報に対応づけられ、通信端末情報が記憶される通信端末情報記憶手段で通信端末情報にキー情報が対応づけられているときのキー情報を送信する情報送信装置を示す情報送信装置識別情報が記憶される情報送信装置識別情報記憶手段と、通信端末情報を送信する第２情報送信装置を示す第２情報送信装置識別情報が記憶される第２情報送信装置識別情報記憶手段と、通信端末が網に接続されたとき、情報送信装置識別情報記憶手段から情報送信装置識別情報を読み出す手段と、当該情報送信装置識別情報を網に送信する手段とを備え、当該情報送信装置識別情報で示される情報送信装置に通信端末を示す通信端末識別情報が網から送信され、当該通信端末識別情報を対応づけられたキー情報がキー情報記憶手段から読み出されたときのキー情報が情報送信装置から網に通信端末宛で送信されたとき、当該キー情報を網から受信し、第２情報送信装置識別情報記憶手段から第２情報送信装置識別情報を読み出し、当該キー情報と当該第２情報送信装置識別情報とを第２網に送信し、当該第２情報送信装置識別情報で示される第２情報送信装置に第２網から当該キー情報が送信され、当該キー情報を対応づけられた通信端末情報が通信端末情報記憶手段から読み出されたときの通信端末情報が第２情報送信装置から第２網に通信端末宛で送信されたとき、当該通信端末情報を第２網から受信することを特徴とする通信端末をもって解決手段とする。
【００２２】
請求項１７の本発明は、通信端末に送信される通信端末情報が記憶される通信端末情報記憶手段で第２通信端末を示す第２通信端末識別情報が通信端末情報に対応づけられ、通信端末が第２通信端末に接続され、通信端末情報を送信する情報送信装置を示す情報送信装置識別情報が第２通信端末に入力され第２通信端末が網に接続され、当該情報送信装置識別情報が第２通信端末から網に送信され、当該情報送信装置識別情報で示される情報送信装置に第２通信端末を示す第２通信端末識別情報が網から送信され、当該第２通信端末識別情報を対応づけられた通信端末情報が通信端末情報記憶手段から読み出されたときの通信端末情報が情報送信装置から第２通信端末宛で網に送信され、当該通信端末情報が第２通信端末で網から受信され、当該通信端末情報が第２通信端末から通信端末に送信されたとき、当該通信端末情報を受信する手段を有することを特徴とする通信端末をもって解決手段とする。
【００２３】
請求項１８の本発明は、通信端末に送信される通信端末情報に対応するキー情報が記憶されるキー情報記憶手段で第２通信端末を示す第２通信端末識別情報がキー情報に対応づけられ、通信端末情報が記憶される通信端末情報記憶手段で通信端末情報にキー情報が対応づけられ、キー情報を送信する情報送信装置と通信端末情報を送信する第２情報送信装置とが設けられているとき当該第２情報送信装置を示す第２情報送信装置識別情報が記憶される第２情報送信装置識別情報記憶手段と、通信端末が第２通信端末に接続され、情報送信装置を示す情報送信装置識別情報が第２通信端末に入力され第２通信端末が網に接続され、第２通信端末から当該情報送信装置識別情報が網に送信され、当該情報送信装置識別情報で示される情報送信装置に第２通信端末を示す第２通信端末識別情報が網から送信され、当該第２通信端末識別情報を対応づけられたキー情報がキー情報記憶手段から読み出されたときのキー情報が情報送信装置から網に第２通信端末宛で送信され、当該キー情報が第２通信端末で網から受信され、当該キー情報が第２通信端末から通信端末に送信されたとき、第２情報送信装置識別情報記憶手段から第２情報送信装置識別情報を読み出す手段と、当該第２情報送信装置識別情報と当該キー情報とを第２網に送信する手段とを備え、当該第２情報送信装置識別情報で示される第２情報送信装置に当該キー情報が第２網から送信され、当該キー情報を対応づけられた通信端末情報が通信端末情報記憶手段から読み出されたときの通信端末情報が第２情報送信装置から第２網に通信端末宛で送信されたとき、当該通信端末情報を第２網から受信することを特徴とする通信端末をもって解決手段とする。
【００２４】
請求項１９の本発明は、請求項１ないし８のいずれかに記載の情報送受信方法を実行させるコンピュータプログラムをもって解決手段とする。
【００２５】
請求項２０の本発明は、請求項１９記載のコンピュータプログラムが記録されたコンピュータ読み取り可能な記録媒体をもって解決手段とする。
【発明の効果】
【００２６】
本発明によれば、通信端末に必要な通信端末情報をより簡便に通信端末に記憶させることができる。
【発明を実施するための最良の形態】
【００２７】
以下、本発明の情報送受信方法、情報送信装置、情報送信システムおよび通信端末に係る実施の形態を、図面を参照して詳しく説明する。
【００２８】
［第１の実施の形態に係る基本形態］
図１は、第１の実施の形態に係る基本形態のシステム構成図である。
【００２９】
図１に示すように、第１の実施の形態に係る基本形態では、例えば、通信端末１の注文時にその利用形態が申し出され、通信端末１は、例えば、配送センタから注文者Ａ宅に配送される。また、通信端末１に必要な通信端末情報として、例えば、その利用形態に応じた通信端末情報１Ａを記憶した情報送信装置２が、例えば、有線伝送路を介して回線交換網３に接続されている。また、通信端末１も配送後には有線伝送路を介して回線交換網３に接続されることとなる。
【００３０】
図２は、通信端末１と情報送信装置２と回線交換網３のそれぞれの構成図である。
【００３１】
通信端末１は、情報送信装置２を示す情報送信装置識別情報２０Ａが予め記憶された情報送信装置識別情報記憶部１１と、通信端末情報１Ａが情報送信装置２から送信されて記憶されることとなる通信端末情報記憶部１２と、回線交換網３に収容された有線伝送路４Ａに接続されかつ、有線伝送路４Ａを介して回線交換網３に情報送信装置識別情報２０Ａを送信する手段と、回線交換網３から送信された通信端末情報１Ａを有線伝送路４Ａを介して受信する手段の両手段として機能する通信制御部１３と、情報送信装置識別情報記憶部１１から情報送信装置識別情報２０Ａを読み出す手段と、通信制御部１３から与えられる通信端末情報１Ａを通信端末情報記憶部１２に記憶させる手段の両手段として機能し、読み出した情報送信装置識別情報２０Ａを通信制御部１３に与える制御部１４とを備える。ここでは、情報送信装置識別情報２０Ａは、有線伝送路５つまり、回線交換網３に収容され、情報送信装置２に接続された有線伝送路を示す情報送信装置識別情報である。情報送信装置識別情報記憶部１１には、例えば、配送前までに情報送信装置識別情報２０Ａが記憶される。一方、通信端末情報記憶部１２には、配送時には通信端末情報１Ａが記憶されておらず、後に通信端末情報１Ａが記憶されることとなる。また、情報送信装置識別情報記憶部１１は、本発明の情報送信装置識別情報記憶手段に相当する。なお、通信端末情報記憶部１２には、動作とは無関係の情報や、設定／認証がなされていないモードで通信端末を動作させる設定情報や、標準的な初期値が記憶されることがある。
【００３２】
情報送信装置２は、通信端末情報１Ａが記憶された通信端末情報記憶部２１と、回線交換網３に収容され、情報送信装置識別情報２０Ａで示される、有線伝送路５に接続され、有線伝送路５を介して回線交換網３から、通信端末１を示す通信端末識別情報１０Ａを受信する手段と、通信端末情報１Ａを有線伝送路５を介して回線交換網３へ送信する手段の両手段として機能する通信制御部２２と、通信端末情報記憶部２１から通信端末情報１Ａを読み出す手段として機能し、読み出した通信端末情報１Ａを通信制御部２２に与える制御等を行う制御部２３を備える。なお、通信端末情報記憶部２１は、本発明の通信端末情報記憶手段に相当する。
【００３３】
回線交換網３は、例えば、通信端末１が接続される有線伝送路４Ａを収容する伝送路収容部３１Ａと、情報送信装置２が接続された有線伝送路５を収容する伝送路収容部３１５と、回線交換を制御する交換制御部３２を備え、この他にも、他の通信端末が接続される有線伝送路４Ｂ等を収容する伝送路収容部３１Ｂ等を備える。
【００３４】
なお、第１の実施の形態に係る応用形態では、情報送信装置２の構成が異なり、そして、情報送信装置２にデータベースシステム４が接続されることとなるが、この応用形態については後述する。
【００３５】
図３は、通信端末情報記憶部２１に記憶される内容を例示する図である。
【００３６】
通信端末１が、例えば、発ＩＤ通知サービスの利用可否を設定できてコードレス子機の増減が可能であり、有線伝送路４Ａを示す加入者回線番号、例えば、ユーザ宅の電話番号と発ＩＤ通知サービスを利用したい旨とコードレス子機の台数が申し出されたときは、発ＩＤ通知サービスを利用可能とする情報とコードレス子機の台数や製品番号を示す情報とを含んでなる通信端末情報１Ａに対し通信端末識別情報１０Ａとしての当該加入者回線番号が対応づけられる。
【００３７】
一方、通信端末１が無線伝送路を介して網と接続されるもの、例えば、携帯電話端末であり、ネットワーク対応の機器の利用可否を設定でき、利用したいネットワーク対応の機器の種類や型番が申し出されたときは、例えば、申し出された種類や型番の機器を利用可能とする情報を含んでなる通信端末情報１Ａに対し通信端末１に割り当てられた携帯電話番号が通信端末識別情報１０Ａとして対応づけられる。
【００３８】
なお、例えば、有線伝送路４Ｂに接続される通信端末に予め通信端末情報が記憶されてる場合、通信端末情報記憶部２１は、この有線伝送路４Ｂについては通信端末情報を保持しない。
【００３９】
［第１の実施の形態に係る基本形態の動作］
次に、第１の実施の形態に係る基本形態の動作を説明する。
【００４０】
図２において、通信端末１が、例えば、有線伝送路４Ａに接続される、あるいは、電源がオフされた通信端末１が同様に接続されてから電源をオンされる、あるいは、さらに所定の操作がなされると、これを通信制御部１３が検出し、この検出により、制御部１４は、情報送信装置識別情報記憶部１１から情報送信装置識別情報２０Ａを読み出し、この情報送信装置識別情報２０Ａを通信制御部１３に与える。通信制御部１３は、この情報送信装置識別情報２０Ａを宛先情報として含む発信制御信号を有線伝送路４Ａに送出する。これにより、図１に示すように、情報送信装置識別情報２０Ａが通信端末１から回線交換網３へ送信される。
【００４１】
図２において、回線交換網３では、情報送信装置識別情報２０Ａを含む発信制御信号を伝送路収容部３１Ａが受信し、情報送信装置識別情報２０Ａを交換制御部３２に与える。交換制御部３２は、与えられた情報送信装置識別情報２０Ａで示される有線伝送路５を収容する伝送路収容部３１５に対し、この情報送信装置識別情報２０Ａを与えた伝送路収容部３１Ａに収容された有線伝送路４Ａを示す通信端末識別情報１０Ａを与える。伝送路収容部３１５は、与えられた通信端末識別情報１０Ａを含む応答要求信号を有線伝送路５に送出する。これにより、図１に示すように、通信端末識別情報１０Ａが回線交換網３から情報送信装置２へ送信される。
【００４２】
図２において、情報送信装置２では、通信端末識別情報１０Ａを含む応答要求信号を通信制御部２２が受信し、通信端末識別情報１０Ａを制御部２３に与える。制御部２３は、図３に示す通信端末情報記憶部２１から、当該通信端末識別情報１０Ａを対応づけられた通信端末情報１Ａを読み出し、これを図２の通信制御部２２に与える。通信制御部２２は、この通信端末情報１Ａに対し、先に受信した通信端末識別情報１０Ａを付与し、つまり通信端末１を宛先として、有線伝送路５に送出する。これにより、図１に示すように、通信端末情報１Ａが情報送信装置２から回線交換網３へ送信される。
【００４３】
図２において、回線交換網３では、通信端末情報１Ａを伝送路収容部３１５が受信する。交換制御部３２は、この交換制御部３２に情報送信装置識別情報２０Ａを与えた伝送路収容部３１Ａ、つまり、情報送信装置２との間でセッションが確立している通信端末１に対応する伝送路収容部３１Ａに対し、当該通信端末情報１Ａを中継する。伝送路収容部３１Ａは、中継された通信端末情報１Ａを有線伝送路４Ａに送出する。これにより、図１に示すように、通信端末情報１Ａが回線交換網３から通信端末１へ送信される。
【００４４】
図２において、通信端末１では、通信端末情報１Ａを通信制御部１３が受信し、制御部１４に与える。制御部１４は、この通信端末情報１Ａをそのまま、あるいは必要ならば適宜加工して通信端末情報記憶部１２に記憶させる。そして、制御部１４は、この通信端末情報１Ａを通信端末情報記憶部１２から読み出し、この通信端末情報１Ａに基づいて通信端末１を動作させる。
【００４５】
これにより、申し出された発ＩＤ通知サービスや、申し出された台数のコードレス子機が利用可能となる。
【００４６】
なお、通信端末１が無線伝送路を介して網と接続されるもの、例えば、携帯電話端末であり、ネットワーク対応の機器の利用可否を設定でき、利用したいネットワーク対応の機器の種類や型番が申し出されたときは、申し出された種類や型番の機器が利用可能となる。
【００４７】
なお、上記したような、通信端末１が無線伝送路を介して網と接続される場合の動作と同様な動作が、通信端末１が無線伝送路を介して網と接続される場合にあってもなされる。これは、以下に説明する応用形態においても同じである。
【００４８】
［第１の実施の形態に係る第１の応用形態］
次に、第１の実施の形態に係る第１の応用形態を説明する。
【００４９】
図２に示すように、この応用形態では、データベースシステム４が情報送信装置２に接続される。データベースシステム４には、情報送信装置２の通信端末情報記憶部２１が設けられ、これにより、情報送信装置２では通信端末情報記憶部２１が不要である。つまり、
データベースシステム４は、第１の実施の形態に係る基本形態で使用された通信端末情報記憶部２１に代わるものである。
【００５０】
データベースシステム４は、例えば、発ＩＤ通知サービスの契約の有無を管理する組織と、発ＩＤ通知を有効にするか無効にするかを管理する組織とが異なる場合に、例えば、前者の組織で運用されるものであり、この場合、情報送信装置２は、後者の組織で運用することができる。
【００５１】
そして、この場合の通信端末情報１Ａは、例えば、発ＩＤ通知サービスの契約があることを示す情報となる。
【００５２】
また、データベースシステム４は、例えば、ネットワーク対応の機器の販売先を管理する組織と、ネットワーク対応の機器の機能を有効にするか無効にするかを管理する組織とが異なる場合に、例えば、前者の組織で運用されるものであり、この場合、情報送信装置２は、後者の組織で運用することができる。
【００５３】
そして、この場合の通信端末情報１Ａは、例えば、ネットワーク対応の機器の種類や型番を示す情報となる。
【００５４】
［第１の実施の形態に係る第１の応用形態の動作］
図２において、情報送信装置２の通信制御部２２が通信端末識別情報１０Ａを受信し、制御部２３に与えると、制御部２３が、与えられた通信端末識別情報１０Ａをデータベースシステム４に送信する。
【００５５】
データベースシステム４では、送信された通信端末識別情報１０Ａを対応づけられた通信端末情報１Ａを通信端末情報記憶部２１から読み出し、これを情報送信装置２に送信する。
【００５６】
情報送信装置２では、送信された通信端末情報１Ａが、例えば、発ＩＤ通知サービスの契約が有ることを示す情報であり、組織で管理されている管理情報が発ＩＤ通知を有効とするものであるなら、通信端末情報１Ａに対し、発ＩＤ通知を有効とする情報を追加する。また、送信された通信端末情報１Ａが、例えば、ネットワーク対応の機器の種類や型番を示す情報であり、組織で管理されている管理情報が機器の機能を有効とするものであるなら、通信端末情報１Ａに対し、機器の機能を有効とする情報を追加する。
【００５７】
こうして情報を追加された通信端末情報１Ａは、通信制御部２２に与えられる。通信制御部２２は、この通信端末情報１Ａに対し、先に受信した通信端末識別情報１０Ａを付与し、つまり通信端末１を宛先として、有線伝送路５に送出する。
【００５８】
これ以降の動作は、第１の実施の形態に係る基本形態のものと同様である。
【００５９】
したがって、第１の実施の形態に係る第１の応用形態によれば、例えば、発ＩＤ通知を無効から有効にし、あるいはネットワーク対応の機器の機能を無効から有効にすることができる。
【００６０】
以上のように、第１の実施の形態に係る基本形態およびその第１の応用形態によれば、以下のような情報送受信方法、すなわち、通信端末（１）に送信される通信端末情報（１Ａ）が記憶される通信端末情報記憶手段（２１）で通信端末情報（１Ａ）に通信端末（１）を示す通信端末識別情報（１０Ａ）が対応づけられ、通信端末情報（１Ａ）を送信する情報送信装置（２）を示す情報送信装置識別情報（２０Ａ）が記憶される情報送信装置識別情報記憶手段（１１）が通信端末（１）に設けられ、通信端末（１）が網（３）に接続されたとき、通信端末（１）が情報送信装置識別情報記憶手段（１１）から情報送信装置識別情報（２０Ａ）を読み出すステップと、当該情報送信装置識別情報（２０Ａ）を通信端末（１）が網（３）に送信するステップと、当該情報送信装置識別情報（２０Ａ）で示される情報送信装置（２）に通信端末（１）を示す通信端末識別情報（１０Ａ）が網（３）から送信され、当該通信端末識別情報（１０Ａ）を対応づけられた通信端末情報（１Ａ）が通信端末情報記憶手段（２１）から読み出されたときの通信端末情報（１Ａ）を情報送信装置（２）が通信端末（１）宛で網（３）に送信するステップと、通信端末（１）が当該通信端末情報（１Ａ）を網（３）から受信するステップとを有する情報送受信方法としたことで、通信端末（１）に必要な通信端末情報（１Ａ）をより簡便に通信端末（１）に記憶させることができる。
【００６１】
また、以下のような情報送信装置（２）、すなわち、通信端末（１）に送信される通信端末情報（１Ａ）を送信する情報送信装置（２）であって、通信端末情報（１Ａ）が記憶される通信端末情報記憶手段（２１）で通信端末情報（１Ａ）に通信端末（１）を示す通信端末識別情報（１０Ａ）が対応づけられ、情報送信装置（２）自身を示す情報送信装置識別情報（２０Ａ）が記憶される情報送信装置識別情報記憶手段（１１）が通信端末（１）に設けられ、通信端末（１）が網（３）に接続され、通信端末（１）で情報送信装置識別情報記憶手段（１１）から情報送信装置識別情報（２０Ａ）が読み出され、当該情報送信装置識別情報（２０Ａ）が通信端末（１）から網（３）に送信され、当該情報送信装置識別情報（２０Ａ）で示される情報送信装置（２）自身に通信端末（１）を示す通信端末識別情報（１０Ａ）が網（３）から送信され、当該通信端末識別情報（１０Ａ）を対応づけられた通信端末情報（１Ａ）が通信端末情報記憶手段（２１）から読み出されたときの通信端末情報（１Ａ）を通信端末（１）宛で網（３）に送信する手段（２２）を有する情報送信装置（２）としたことで、通信端末（１）に必要な通信端末情報（１Ａ）をより簡便に通信端末（１）に記憶させることができる。
【００６２】
また、以下のような通信端末（１）、すなわち、通信端末（１）に送信される通信端末情報（１Ａ）が記憶される通信端末情報記憶手段（２１）で通信端末情報（１Ａ）に通信端末（１）を示す通信端末識別情報（１０Ａ）が対応づけられているときの通信端末情報（１Ａ）を送信する情報送信装置（２）を示す情報送信装置識別情報（２０Ａ）が記憶される情報送信装置識別情報記憶手段（１１）と、通信端末（１）が網（３）に接続されたとき、情報送信装置識別情報記憶手段（１１）から情報送信装置識別情報（２０Ａ）を読み出す手段（１４）と、当該情報送信装置識別情報（２０Ａ）を網（３）に送信する手段（１３）とを備え、当該情報送信装置識別情報（２０Ａ）で示される情報送信装置（２）に通信端末（１）を示す通信端末識別情報（１０Ａ）が網（３）から送信され、当該通信端末識別情報（１０Ａ）を対応づけられた通信端末情報（１Ａ）が通信端末情報記憶手段（２１）から読み出されたときの通信端末情報（１Ａ）が情報送信装置（２）から網（３）に通信端末（１）宛で送信されたとき、当該通信端末情報（１Ａ）を網（３）から受信する通信端末（１）としたことで、通信端末（１）に必要な通信端末情報（１Ａ）をより簡便に通信端末（１）に記憶させることができる。
【００６３】
［第１の実施の形態に係る第２の応用形態］
図４は、第１の実施の形態に係る第２の応用形態の説明図である。図５は、この応用形態において通信端末情報記憶部２１に記憶される内容を例示する図である。図６は、通信端末１の構成図である。
【００６４】
図５に示すように、この応用形態では、通信端末情報記憶部２１の通信端末情報１Ａに通信端末識別情報１０Ａと付加情報１０Ｂとが対応づけられている。
【００６５】
付加情報１０Ｂは、例えば、通信端末１の種別を示す情報、通信端末１のバージョンを示す情報、シリアル番号等である。
【００６６】
この応用形態を実施する背景として、これまでは、実際の通信端末１の種別等と、管理する側に報告された種別等とが食い違うことにより、実際の通信端末１の種別に応じた通信端末情報とは異なる通信端末情報が通信端末に設定される不都合が発生していたという事情がある。
【００６７】
図６に示すように、通信端末１は、第１の実施の形態に係る基本形態の通信端末１に対し、付加情報１０Ｂを記憶する付加情報記憶部１１Ｂがさらに設けられ、ここには、例えば、配送前までに付加情報１０Ｂが記憶される。そして、制御部１４は、付加情報記憶部１１Ｂから付加情報１０Ｂを読み出す手段としても機能し、付加情報１０Ｂを通信制御部１３に与えるようになっている。なお、付加情報記憶部１１Ｂは、本発明の付加情報記憶手段に相当する。
【００６８】
また、この応用形態では、図２に示す情報送信装置２の制御部２３は、通信端末情報記憶部２１から、通信端末識別情報１０Ａと付加情報１０Ｂとを対応づけられた通信端末情報１Ａを読み出す手段としても機能し、読み出した通信端末情報１Ａを通信制御部２２に与えるようになっている。
【００６９】
［第１の実施の形態に係る第２の応用形態の動作］
図４において、通信端末１が回線交換網３に接続され、図６の付加情報記憶部１１Ｂから付加情報１０Ｂが読み出され、情報送信装置識別情報２０Ａと付加情報１０Ｂとが、図４に示すように、通信端末１から回線交換網３に送信され、情報送信装置２に回線交換網３から通信端末識別情報１０Ａと付加情報１０Ｂとが送信される。
【００７０】
このように、情報送信装置識別情報２０Ａと付加情報１０Ｂを同時に送信するのは、例えば、ＩＳＤＮ回線のように、サブアドレス情報要素やユーザ間情報要素を利用できる場合などである。
【００７１】
一方、情報送信装置識別情報２０Ａと付加情報１０Ｂを同時に送信しなくてもよい場合もある。例えば、（１）通信端末１と情報送信装置２との通信チャネルが確立した後、直ちに付加情報１０Ｂを送信する。（２）当該通信チャネルが確立し、情報送信装置２からの要求信号を受信した後、直ちに付加情報１０Ｂを送信する。（３）当該通信チャネルが確立し、認証手順が完了した後、直ちに付加情報１０Ｂを送信する。このような送信パターンを採用することができる。
【００７２】
そして、情報送信装置２では、通信制御部２２が、回線交換網３から送信された通信端末識別情報１０Ａと付加情報１０Ｂとを、図５の通信端末情報記憶部２１に照合し、送信されたものと同じ通信端末識別情報１０Ａと付加情報１０Ｂとに対応づけられた通信端末情報１Ａを通信端末情報記憶部２１から読み出し、この通信端末情報１Ａを通信端末１宛で回線交換網３に送信する。
【００７３】
これ以降の動作は、第１の実施の形態に係る基本形態等のものと同様である。
【００７４】
よって、通信端末１の種別やバージョン等に応じた通信端末情報１Ａを通信端末１に送信し、通信端末１を適切に動作させることができる。
【００７５】
また、実際の通信端末１の種別に応じた通信端末情報とは異なる通信端末情報が通信端末に設定される不都合の発生を防止することができる。
【００７６】
以上のように、第１の実施の形態に係る第２の応用形態によれば、以下のような情報送受信方法、すなわち、通信端末（１）に送信される通信端末情報（１Ａ）が記憶される通信端末情報記憶手段（２１）で通信端末情報（１Ａ）に通信端末（１）を示す通信端末識別情報（１０Ａ）と付加情報（１０Ｂ）とが対応づけられ、通信端末情報（１Ａ）を送信する情報送信装置（２）を示す情報送信装置識別情報（２０Ａ）が記憶される情報送信装置識別情報記憶手段（１１）と、付加情報（１０Ｂ）が記憶される付加情報記憶手段（１１Ｂ）とが通信端末（１）に設けられ、通信端末（１）が網（３）に接続されたとき、通信端末（１）が情報送信装置識別情報記憶手段（１１）から情報送信装置識別情報（２０Ａ）を読み出すステップと、通信端末（１）が付加情報記憶手段（１１Ｂ）から付加情報（１０Ｂ）を読み出すステップと、当該情報送信装置識別情報（２０Ａ）と当該付加情報（１０Ｂ）とを通信端末（１）が網（３）に送信するステップと、当該情報送信装置識別情報（２０Ａ）で示される情報送信装置（２）に通信端末（１）を示す通信端末識別情報（１０Ａ）と当該付加情報（１０Ｂ）とが網（３）から送信され、当該通信端末識別情報（１０Ａ）と当該付加情報（１０Ｂ）とを対応づけられた通信端末情報（１Ａ）が通信端末情報記憶手段（２１）から読み出されたときの通信端末情報（１Ａ）を情報送信装置（２）が通信端末（１）宛で網（３）に送信するステップと、当該通信端末情報（１Ａ）を通信端末（１）が網（３）から受信するステップとを有する情報送受信方法としたことで、付加情報（１０Ｂ）としての、通信端末（１）の種別やバージョン等に応じた通信端末情報（１Ａ）を通信端末（１）に記憶させることができる。また、実際の通信端末（１）の種別等に応じた通信端末情報（１Ａ）とは異なる通信端末情報（１Ａ）が通信端末（１）に記憶される不都合の発生を防止することができる。
【００７７】
また、以下のような情報送信装置（２）、すなわち、通信端末（１）に送信される通信端末情報（１Ａ）を送信する情報送信装置（２）であって、通信端末情報（１Ａ）が記憶される通信端末情報記憶手段（２１）で通信端末情報（１Ａ）に通信端末（１）を示す通信端末識別情報（１０Ａ）と付加情報（１０Ｂ）とが対応づけられ、情報送信装置（２）自身を示す情報送信装置識別情報（２０Ａ）が記憶される情報送信装置識別情報記憶手段（１１）と、付加情報（１０Ｂ）が記憶される付加情報記憶手段（１１Ｂ）とが通信端末（１）に設けられ、通信端末（１）が網（３）に接続され、通信端末（１）で情報送信装置識別情報記憶手段（１１）から情報送信装置識別情報（２０Ａ）が読み出され、通信端末（１）で付加情報記憶手段（１１Ｂ）から付加情報（１０Ｂ）が読み出され、当該情報送信装置識別情報（２０Ａ）と当該付加情報（１０Ｂ）とが通信端末（１）から網（３）に送信され、当該情報送信装置識別情報（２０Ａ）で示される情報送信装置（２）自身に通信端末（１）を示す通信端末識別情報（１０Ａ）と当該付加情報（１０Ｂ）とが網（３）から送信され、当該通信端末識別情報と当該付加情報（１０Ｂ）とを対応づけられた通信端末情報（１Ａ）が通信端末情報記憶手段（２１）から読み出されたときの通信端末情報（１Ａ）を通信端末（１）宛で網（３）に送信する手段（２２）を有する情報送信装置（２）としたことで、付加情報（１０Ｂ）としての、通信端末（１）の種別やバージョン等に応じた通信端末情報（１Ａ）を通信端末（１）に記憶させることができる。また、実際の通信端末（１）の種別等に応じた通信端末情報（１Ａ）とは異なる通信端末情報（１Ａ）が通信端末（１）に記憶される不都合の発生を防止することができる。
【００７８】
また、以下のような通信端末（１）、すなわち、通信端末（１）に送信される通信端末情報（１Ａ）が記憶される通信端末情報記憶手段（２１）で通信端末情報（１Ａ）に通信端末（１）を示す通信端末識別情報（１０Ａ）と付加情報（１０Ｂ）とが対応づけられときの通信端末情報（１Ａ）を送信する情報送信装置（２）を示す情報送信装置識別情報（２０Ａ）が記憶される情報送信装置識別情報記憶手段（１１）と、付加情報（１０Ｂ）が記憶される付加情報記憶手段（１１Ｂ）と、通信端末（１）が網（３）に接続されたとき、情報送信装置識別情報記憶手段（１１）から情報送信装置識別情報（２０Ａ）を読み出す手段（１４）と、付加情報記憶手段（１１Ｂ）から付加情報（１０Ｂ）を読み出す手段（１４）と、当該情報送信装置識別情報（２０Ａ）と当該付加情報（１０Ｂ）とを網（３）に送信する手段（１３）とを備え、当該情報送信装置識別情報（２０Ａ）で示される情報送信装置（２）に通信端末（１）を示す通信端末識別情報（１０Ａ）と当該付加情報（１０Ｂ）とが網（３）から送信され、当該通信端末識別情報（１０Ａ）と当該付加情報（１０Ｂ）とを対応づけられた通信端末情報（１Ａ）が通信端末情報記憶手段（２１）から読み出されたときの通信端末情報（１Ａ）が情報送信装置（２）から網（３）に通信端末（１）宛で送信されたとき、当該通信端末情報（１Ａ）を網（３）から受信する通信端末（１）としたことで、付加情報（１０Ｂ）としての、通信端末（１）の種別やバージョン等に応じた通信端末情報（１Ａ）を通信端末（１）に記憶させることができる。また、実際の通信端末（１）の種別等に応じた通信端末情報（１Ａ）とは異なる通信端末情報（１Ａ）が通信端末（１）に記憶される不都合の発生を防止することができる。
【００７９】
なお、上記説明では、付加情報としてバージョン情報等を通信端末情報記憶部２１へ格納し、これにより通信端末情報の検索を行ったが、通信端末情報記憶部２１でのバージョン情報等の管理は、通信端末情報の検索のためにでなく、通信端末のバージョン情報等の把握や後の技術サポートのために行うことがある。
【００８０】
この場合、正しいバージョン情報等を通信端末情報記憶部２１に格納しないと、技術サポート等に支障をきたすことになるので、通信端末情報記憶部２１へは、当初はバージョン情報等を格納せずに、通信端末からバージョン情報等が送信されたきにその正しいバージョン情報等を通信端末情報記憶部２１へ格納するか、あるいは通信端末情報記憶部２１へ当初格納したバージョン情報等を、送信されたバージョン情報等で更新するようにしてもよい。
【００８１】
［第１の実施の形態に係る第３の応用形態］
図７は、第１の実施の形態に係る第３の応用形態の説明図である。
【００８２】
図７に示すように、この応用形態では、通信端末１が、通信端末情報１Ａの要否を判定する。例えば、通信端末１の通信機能等が無効となっており、通信端末情報１Ａにより、これを有効にできる場合に、この判定を行う。
【００８３】
先に説明した発ＩＤ通知サービスやネットワーク対応の機器の場合とは別の例で説明すると、例えば、通信端末１が、使用料金を毎月収集する有料テレビ放送の家庭内アダプタであり、通信端末１が自身の時計により、毎月一度、通信端末１を要設定状態とするような場合に、適宜この判定が行われる。
【００８４】
また、通信端末１が、より高度な安全対策を講じられるダイアルアップルータであり、コンピュータウィルスのチェックファイルの更新が毎週必要なことから、毎週一度、通信端末１を要設定状態とするような場合に、適宜この判定が行われる。
【００８５】
ここで、通信端末情報１Ａが必要と判定されたとき、情報送信装置識別情報２０Ａを含む発信制御信号が回線交換網３に送信される。
【００８６】
これ以降の動作は、第１の実施の形態に係る基本形態等のものと同様である。
【００８７】
これにより、例えば、通信端末１の通信機能等を無効から有効にすることができる。また、有料テレビ放送を受信したり、コンピュータウィルスのチェックファイルを更新して、安全なダイアルアップ通信を行うことができる。
【００８８】
以上のように、第１の実施の形態に係る第３の応用形態によれば、情報受信方法で通信端末が情報送信装置識別情報を網に送信するに先立ち、通信端末情報の要否を判定し、必要と判定されたとき、当該情報送信装置識別情報を網に送信することで、判定で必要とされる通信端末情報をより簡便に通信端末に記憶させることができる。
【００８９】
なお、通信端末１が通信端末情報１Ａの要否を判定することは、他の形態で行ってもよい。
【００９０】
［第１の実施の形態に係る第４の応用形態］
次に、第１の実施の形態に係る第４の応用形態を説明する。
【００９１】
図８は、第１の実施の形態に係る第４の応用形態のシステム構成図である。図９は、この応用形態において通信端末情報記憶部２１に記憶される内容を例示する図である。
【００９２】
この応用形態では、通信端末１は、例えば、配送当初は、ＩＰ網との通信機能が無効になっているＩＰルータなどであり、図８に示すように、この通信端末１にケーブル等を介して第２通信端末１Ｂ、例えば、携帯通信端末が接続される。また、通信端末１と第２通信端末１Ｂとは、短距離無線通信や赤外線通信が可能なように接続されてもよく、これは第２通信端末１Ｂを用いる他の形態でも同じである。また、第２通信端末１Ｂは、携帯通信網３Ｂに接続され、この携帯通信網３Ｂに情報送信装置２が接続される。
【００９３】
図２に示す通信端末１の通信制御部１３は、この応用形態では、携帯通信網３Ｂに含まれる基地局（図示せず）に接続され、また、情報送信装置２の通信制御部２２は、他の基地局（図示せず）に接続される。なお、通信端末１においては、情報送信装置識別情報記憶部１１を備えなくてもよい。
【００９４】
また、通信端末１の注文時には、第２通信端末１Ｂを示す第２通信端末識別情報１２Ａ、例えば、携帯電話番号が申し出される。
【００９５】
図９に示すように、情報送信装置２の通信端末情報記憶部２１では、申し出された第２通信端末識別情報１２Ａが、例えば、ＩＰルータの利用形態に応じた通信端末情報１Ａに対応づけられる。
【００９６】
［第１の実施の形態に係る第４の応用形態の動作］
図８において、通信端末１が第２通信端末１Ｂに接続され、第２通信端末１Ｂに対し、情報送信装置識別情報２０Ａが入力されると、第２通信端末１Ｂが携帯通信網３Ｂに接続され、情報送信装置識別情報２０Ａが第２通信端末１Ｂから携帯通信網３Ｂに送信される。そして、情報送信装置２に携帯通信網３Ｂから第２通信端末識別情報１２Ａが送信される。
【００９７】
情報送信装置２では、制御部２３が、図９に示す通信端末情報記憶部２１から、当該第２通信端末識別情報１２Ａを対応づけられた通信端末情報１Ａを読み出し、この通信端末情報１Ａを通信制御部２２が第２通信端末１Ｂ宛で携帯通信網３Ｂに送信する。これにより、図８に示すように、通信端末情報１Ａが情報送信装置２から携帯通信網３Ｂに送信される。
【００９８】
携帯通信網３Ｂは、通信端末情報１Ａを第２通信端末１Ｂに送信し、第２通信端末１Ｂは、これを受信し通信端末１に送信する。
【００９９】
これ以降の動作は、第１の実施の形態に係る基本形態等のものと同様である。
【０１００】
これにより、例えば、ＩＰ網との通信機能が無効な通信端末１で通信機能を無効から有効にすることができる。
【０１０１】
以上のように、第１の実施の形態に係る第４の応用形態によれば、以下のような情報送受信方法、すなわち、通信端末（１）に送信される通信端末情報（１Ａ）が記憶される通信端末情報記憶手段（２１）で第２通信端末（１Ｂ）を示す第２通信端末識別情報（１２Ａ）が通信端末情報（１Ａ）に対応づけられ、通信端末（１）が第２通信端末（１Ｂ）に接続され、通信端末情報（１Ａ）を送信する情報送信装置（２）を示す情報送信装置識別情報（２０Ａ）が第２通信端末（１Ｂ）に入力され第２通信端末（１Ｂ）が網（３Ｂ）に接続されたとき、当該情報送信装置識別情報（２０Ａ）を第２通信端末（１Ｂ）が網（３Ｂ）に送信するステップと、当該情報送信装置識別情報（２０Ａ）で示される情報送信装置（２）に第２通信端末（１Ｂ）を示す第２通信端末識別情報（１２Ａ）が網（３Ｂ）から送信され、当該第２通信端末識別情報（１２Ａ）を対応づけられた通信端末情報（１Ａ）が通信端末情報記憶手段（２１）から読み出されたときの通信端末情報（１Ａ）を情報送信装置（２）が第２通信端末（１Ｂ）宛で網（３Ｂ）に送信するステップと、当該通信端末情報（１Ａ）を第２通信端末（１Ｂ）が網（３Ｂ）から受信するステップと、当該通信端末情報（１Ａ）を第２通信端末（１Ｂ）が通信端末（１）に送信するステップと、当該通信端末情報（１Ａ）を通信端末（１）が受信するステップとを有する情報送受信方法としたことで、例えば、ＩＰ網と通信できない通信端末（１）を通信できるようにする通信端末情報（１Ａ）をより簡便に通信端末（１）に記憶させることができる。
【０１０２】
また、以下のような情報送信装置（２）、すなわち、通信端末（１）に送信される通信端末情報（１Ａ）を送信する情報送信装置（２）であって、通信端末情報（１Ａ）が記憶される通信端末情報記憶手段（２１）で第２通信端末（１Ｂ）を示す第２通信端末識別情報（１２Ａ）が通信端末情報（１Ａ）に対応づけられ、通信端末（１）が第２通信端末（１Ｂ）に接続され、通信端末情報（１Ａ）を送信する情報送信装置（２）を示す情報送信装置識別情報（２０Ａ）が第２通信端末（１Ｂ）に入力され第２通信端末（１Ｂ）が網（３Ｂ）に接続され、当該情報送信装置識別情報（２０Ａ）が第２通信端末（１Ｂ）から網（３Ｂ）に送信され、当該情報送信装置識別情報（２０Ａ）で示される情報送信装置（２）に第２通信端末（１Ｂ）を示す第２通信端末識別情報（１２Ａ）が網（３Ｂ）から送信され、当該第２通信端末識別情報（１２Ａ）を対応づけられた通信端末情報（１Ａ）が通信端末情報記憶手段（２１）から読み出されたときの通信端末情報（１Ａ）を第２通信端末（１Ｂ）宛で網（３Ｂ）に送信する手段（２２）を有する情報送信装置（２）としたことで、通信端末（１）が第２通信端末（１Ｂ）から通信端末情報（１Ａ）を取得でき、よって、例えば、ＩＰ網と通信できない通信端末（１）を通信できるようにする通信端末情報（１Ａ）をより簡便に通信端末（１）に記憶させることができる。
【０１０３】
また、以下のような通信端末（１）、すなわち、通信端末（１）に送信される通信端末情報（１Ａ）が記憶される通信端末情報記憶手段（２１）で第２通信端末（１Ｂ）を示す第２通信端末識別情報（１２Ａ）が通信端末情報（１Ａ）に対応づけられ、通信端末（１）が第２通信端末（１Ｂ）に接続され、通信端末情報（１Ａ）を送信する情報送信装置（２）を示す情報送信装置識別情報（２０Ａ）が第２通信端末（１Ｂ）に入力され第２通信端末（１Ｂ）が網（３Ｂ）に接続され、当該情報送信装置識別情報（２０Ａ）が第２通信端末（１Ｂ）から網（３Ｂ）に送信され、当該情報送信装置識別情報（２０Ａ）で示される情報送信装置（２）に第２通信端末（１Ｂ）を示す第２通信端末識別情報（１２Ａ）が網（３Ｂ）から送信され、当該第２通信端末識別情報（１２Ａ）を対応づけられた通信端末情報（１Ａ）が通信端末情報記憶手段（２１）から読み出されたときの通信端末情報（１Ａ）が情報送信装置（２）から第２通信端末（１Ｂ）宛で網（３Ｂ）に送信され、当該通信端末情報（１Ａ）が第２通信端末（１Ｂ）で網（３Ｂ）から受信され、当該通信端末情報（１Ａ）が第２通信端末（１Ｂ）から通信端末（１）に送信されたとき、当該通信端末情報（１Ａ）を受信する手段（１３）を有する通信端末（１）としたことで、例えば、ＩＰ網と通信できない通信端末（１）を通信できるようにする通信端末情報（１Ａ）をより簡便に通信端末（１）に記憶させることができる。
【０１０４】
［第２の実施の形態に係る基本形態］
図１０は、第２の実施の形態に係る基本形態のシステム構成図である。図１１は、この基本形態で用いられる情報送信装置２Ａのキー情報記憶部２１Ｂに記憶される内容を例示する図である。図１２は、この基本形態で用いられる情報送信装置２Ｂの通信端末情報記憶部２１に記憶される内容を例示する図である。図１３は、この基本形態で用いられる通信端末１の構成図である。
【０１０５】
第２の実施の形態に係る基本形態では、通信端末１は、例えば、ＩＰルータなどである。また、この基本形態では、例えば、回線交換網３と、第２網としてのインターネット等のＩＰ網３Ｃとが用いられる。通信端末１がＩＰルータなどの場合、通信端末１−回線交換網３間の伝送路と通信端末１−ＩＰ網３Ｃ間の伝送路とが同一な有線伝送路４Ａ上に周波数分割でそれぞれ構成される。回線交換網３には情報送信装置２Ａが接続され、ＩＰ網３Ｃに情報送信装置２Ｂが接続される。情報送信装置２Ｂは、本発明の第２情報送信装置に相当する。また、情報送信装置２Ａと情報送信装置２Ｂとで、本発明の情報送信システムが構成される。
【０１０６】
情報送信装置２Ａは、図２に示した情報送信装置２の通信端末情報記憶部２１に代えて、通信端末情報１Ａに対応するキー情報１００Ａが記憶されるキー情報記憶部２１Ｂを設けたものである。
【０１０７】
また、情報送信装置２Ａでは、制御部２３が、通信端末識別情報１０Ａを対応づけられたキー情報１００Ａをキー情報記憶部２１Ｂから読み出す手段として機能し、このキー情報１００Ａを通信制御部２２に与えるようになっている。また、通信制御部２２は、このキー情報１００Ａを回線交換網３に通信端末１宛で送信する手段として機能するようになっている。
【０１０８】
図１１に示すように、キー情報記憶部２１Ｂでは、通信端末識別情報１０Ａに対し、通信端末情報１Ａに対応するキー情報１００Ａが対応づけられる。キー情報１００Ａとは、例えば、ＩＤ証明書、暗号キー等であり、暗号化されていることが好ましい。キー情報記憶部２１Ｂは、本発明のキー情報記憶手段に相当する。
【０１０９】
図１０に戻り、情報送信装置２Ｂは、第１の実施の形態に係る基本形態の情報送信装置２と同様の構成を有するが、通信端末情報記憶部２１に記憶される内容が異なる。
【０１１０】
つまり、図１２に示すように、通信端末情報記憶部２１では、通信端末情報１Ａに対し、キー情報１００Ａが対応づけられる。
【０１１１】
また、図２の情報送信装置２と同様の構成を有する情報送信装置２Ｂでは、通信制御部２２がＩＰ網３Ｃに接続され、通信制御部２２がＩＰ網３Ｃからキー情報１００Ａを受信し、これを制御部２３に与えるようになっている。制御部２３は、このキー情報１００Ａを対応づけられた通信端末情報１Ａを通信端末情報記憶部２１から読み出す手段として機能し、この通信端末情報１Ａを通信制御部２２に与えるようになっている。通信制御部２２は、この通信端末情報１Ａを通信端末１宛でＩＰ網３Ｃに送信する手段として機能するようになっている。
【０１１２】
図１３に示すように、通信端末１は、第１の実施の形態の通信端末１に対し、さらに情報送信装置２Ｂを示す情報送信装置識別情報２０Ｂが記憶される情報送信装置識別情報記憶部１１Ｃを備える。情報送信装置識別情報２０Ｂは、ここでは、情報送信装置２ＢのＩＰアドレスなどである。この情報送信装置識別情報２０Ｂは、本発明の第２情報送信装置識別情報に相当し、情報送信装置識別情報記憶部１１Ｃは、本発明の第２情報送信装置識別情報記憶手段に相当する。
【０１１３】
また、制御部１４は、この基本形態では、情報送信装置識別情報記憶部１１Ｃから情報送信装置識別情報２０Ｂを読み出す手段としても機能し、この情報送信装置識別情報２０Ｂを通信制御部１３に与えるようになっている。また、通信制御部１３は、この情報送信装置識別情報２０ＢをＩＰ網３Ｃへ送信する手段としても機能するようになっている。
【０１１４】
［第２の実施の形態に係る基本形態の動作］
図１０において、第１の実施の形態に係る基本形態等と同様に、通信端末１が回線交換網３とに接続され、情報送信装置識別情報２０Ａが通信端末１から回線交換網３に送信され、回線交換網３から情報送信装置２へ通信端末識別情報１０Ａが送信される。
【０１１５】
情報送信装置２では、通信制御部２２が通信端末識別情報１０Ａを受信し、制御部２３に与える。制御部２３は、図１１に示すキー情報記憶部２１Ｂから、当該通信端末識別情報１０Ａを対応づけられたキー情報１００Ａを読み出し、通信制御部２２に与える。通信制御部２２は、このキー情報１００Ａを回線交換網３に通信端末１宛で送信する。これにより、図１０に示すように、キー情報１００Ａが情報送信装置２Ａから回線交換網３に送信され、回線交換網３から通信端末１に送信される。
【０１１６】
図１３において、通信端末１では、通信制御部１３がキー情報１００Ａを受信する。また、制御部１４が、情報送信装置識別情報２０Ｂを情報送信装置識別情報記憶部１１Ｃから読み出し、これを通信制御部１３に与える。そして、情報送信装置識別情報２０Ｂとキー情報１００Ａとを通信制御部１３がＩＰ網３Ｃに送信する。これにより、図１０に示すように、通信端末１から、情報送信装置識別情報２０Ｂとキー情報１００Ａとが、ＩＰ網３Ｃに送信される。そして、ＩＰ網３Ｃから、この情報送信装置識別情報２０Ｂで示される情報送信装置２Ｂにキー情報１００Ａが送信される。
【０１１７】
情報送信装置２Ｂでは、通信制御部２２がキー情報１００Ａを受信し、制御部２３に与える。制御部２３は、図１２に示す通信端末情報記憶部２１から、当該キー情報１００Ａを対応づけられた通信端末情報１Ａを読み出し、通信制御部２２に与える。通信制御部２２は、この通信端末情報１ＡをＩＰ網３Ｃに通信端末１宛で送信する。これにより、図１０に示すように、この通信端末情報１Ａは情報送信装置２からＩＰ網３Ｃに送信され、ＩＰ網３Ｃから通信端末１に送信される。
【０１１８】
これ以降の動作は、第１の実施の形態に係る基本形態等のものと同様である。
【０１１９】
これにより、情報送信装置識別情報であるＩＰアドレスが通信端末１以外から図らずも情報送信装置に送信されてしまう可能性のある、つまり信頼性の低いＩＰ網３Ｃを介する場合であっても、通信端末情報１Ａを確実に通信端末１に送信することができる。
【０１２０】
以上のように、第２の実施の形態に係る基本形態によれば、以下のような情報送受信方法、すなわち、通信端末（１）に送信される通信端末情報（１Ａ）に対応するキー情報（１００Ａ）が記憶されるキー情報記憶手段（２１Ｂ）で通信端末（１）を示す通信端末識別情報（１０Ａ）がキー情報（１００Ａ）に対応づけられ、通信端末情報（１Ａ）が記憶される通信端末情報記憶手段（２１）で通信端末情報（１Ａ）にキー情報（１００Ａ）が対応づけられ、キー情報（１００Ａ）を送信する情報送信装置（２Ａ）を示す情報送信装置識別情報（２０Ａ）が記憶される情報送信装置識別情報記憶手段（１１）と、通信端末情報（１Ａ）を送信する第２情報送信装置（２Ｂ）を示す第２情報送信装置識別情報（２０Ｂ）が記憶される第２情報送信装置識別情報記憶手段（１１Ｃ）とが通信端末（１）に設けられ、通信端末（１）が網（３）に接続されたとき、通信端末（１）が情報送信装置識別情報記憶手段（１１）から情報送信装置識別情報（２０Ａ）を読み出すステップと、当該情報送信装置識別情報（２０Ａ）を通信端末（１）が網（３）に送信するステップと、当該情報送信装置識別情報（２０Ａ）で示される情報送信装置（２Ａ）に通信端末（１）を示す通信端末識別情報（１０Ａ）が網（３）から送信され、当該通信端末識別情報（１０Ａ）を対応づけられたキー情報（１００Ａ）がキー情報記憶手段（２１Ｂ）から読み出されたときのキー情報（１００Ａ）を情報送信装置（２Ａ）が網（３）に通信端末（１）宛で送信するステップと、当該キー情報（１００Ａ）が網（３）から通信端末（１）に送信されたとき、通信端末（１）が第２情報送信装置識別情報記憶手段（１１Ｃ）から第２情報送信装置識別情報（２０Ｂ）を読み出すステップと、当該キー情報（１００Ａ）と当該第２情報送信装置識別情報（２０Ｂ）とを通信端末（１）が第２網（３Ｃ）に送信するステップと、当該第２情報送信装置識別情報（２０Ｂ）で示される第２情報送信装置（２Ｂ）に第２網（３Ｃ）から当該キー情報（１００Ａ）が送信され、当該キー情報（１００Ａ）を対応づけられた通信端末情報（１Ａ）が通信端末情報記憶手段（２１）から読み出されたときの通信端末情報（１Ａ）を第２情報送信装置（２Ｂ）が第２網（３Ｃ）に通信端末（１）宛で送信するステップと、当該通信端末情報（１Ａ）を通信端末（１）が第２網（３Ｃ）から受信するステップとを有する情報送受信方法としたことで、図らずも情報送信装置識別情報（２０Ｂ）が情報送信装置（２Ｂ）に送信されてしまう可能性のある第２網を介する場合であっても、通信端末情報（１Ａ）を確実に通信端末（１）に送信し記憶させることができる。
【０１２１】
また、以下のような情報送信システム、すなわち、通信端末（１）に送信される通信端末情報（１Ａ）に対応するキー情報（１００Ａ）を送信する情報送信装置（２Ａ）と通信端末情報（１Ａ）を送信する第２情報送信装置（２Ｂ）とを有する情報送信システムであって、キー情報（１００Ａ）が記憶されるキー情報記憶手段（２１Ｂ）で通信端末（１）を示す通信端末識別情報（１０Ａ）がキー情報（１００Ａ）に対応づけられ、通信端末情報（１Ａ）が記憶される通信端末情報記憶手段（２１）で通信端末情報（１Ａ）にキー情報（１００Ａ）が対応づけられ、情報送信装置（２Ａ）を示す情報送信装置識別情報（２０Ａ）が記憶される情報送信装置識別情報記憶手段（１１）と、第２情報送信装置（２Ｂ）を示す第２情報送信装置識別情報（２０Ｂ）が記憶される第２情報送信装置識別情報記憶手段（１１Ｃ）とが通信端末（１）に設けられ、通信端末（１）が網（３）に接続され、通信端末（１）で情報送信装置識別情報記憶手段（１１）から情報送信装置識別情報（２０Ａ）が読み出され、当該情報送信装置識別情報（２０Ａ）が通信端末（１）から網（３）に送信され、当該情報送信装置識別情報（２０Ａ）で示される情報送信装置（２Ａ）に通信端末（１）を示す通信端末識別情報（１０Ａ）が網（３）から送信されたとき、当該通信端末識別情報（１０Ａ）を対応づけられたキー情報（１００Ａ）をキー情報記憶手段（２１Ｂ）から読み出す手段（２３）と、当該キー情報（１００Ａ）を網（３）に通信端末（１）宛で送信する手段（２２）とを情報送信装置（２Ａ）が有し、当該キー情報（１００Ａ）が網（３）から通信端末（１）に送信され、通信端末（１）で第２情報送信装置識別情報記憶手段（１１Ｃ）から第２情報送信装置識別情報（２０Ｂ）が読み出され、当該キー情報（１００Ａ）と当該第２情報送信装置識別情報（２０Ｂ）とが通信端末（１）から第２網（３Ｃ）に送信され、当該第２情報送信装置識別情報（２０Ｂ）で示される第２情報送信装置（２Ｂ）に第２網（３Ｃ）から当該キー情報（１００Ａ）が送信されたとき、当該キー情報（１００Ａ）を対応づけられた通信端末情報（１Ａ）を通信端末情報記憶手段（２１）から読み出す手段（２３）と、当該通信端末情報（１Ａ）を第２網（３Ｃ）に通信端末（１）宛で送信する手段（２２）とを第２情報送信装置（２Ｂ）が有する情報送信システムとしたことで、図らずも情報送信装置識別情報（２０Ｂ）が通信端末（１）以外から情報送信装置（２Ｂ）に送信されてしまう可能性のある第２網（３Ｃ）を介する場合であっても、通信端末情報（１Ａ）を確実に通信端末（１）に送信し記憶させることができる。
【０１２２】
また、以下のような通信端末（１）、すなわち、通信端末（１）に送信される通信端末情報（１Ａ）に対応するキー情報（１００Ａ）が記憶されるキー情報記憶手段（２１Ｂ）で通信端末（１）を示す通信端末識別情報（１０Ａ）がキー情報（１００Ａ）に対応づけられ、通信端末情報（１Ａ）が記憶される通信端末情報記憶手段（２１）で通信端末情報（１Ａ）にキー情報（１００Ａ）が対応づけられているときのキー情報（１００Ａ）を送信する情報送信装置（２Ａ）を示す情報送信装置識別情報（２０Ａ）が記憶される情報送信装置識別情報記憶手段（１１）と、通信端末情報（１Ａ）を送信する第２情報送信装置（２Ｂ）を示す第２情報送信装置識別情報（２０Ｂ）が記憶される第２情報送信装置識別情報記憶手段（１１Ｃ）と、通信端末（１）が網（３）に接続されたとき、情報送信装置識別情報記憶手段（１１）から情報送信装置識別情報（２０Ａ）を読み出す手段（１４）と、当該情報送信装置識別情報（２０Ａ）を網（３）に送信する手段（１３）とを備え、当該情報送信装置識別情報（２０Ａ）で示される情報送信装置（２Ａ）に通信端末（１）を示す通信端末識別情報（１０Ａ）が網（３）から送信され、当該通信端末識別情報（１０Ａ）を対応づけられたキー情報（１００Ａ）がキー情報記憶手段（２１Ｂ）から読み出されたときのキー情報（１００Ａ）が情報送信装置（２Ａ）から網（３）に通信端末（１）宛で送信されたとき、当該キー情報（１００Ａ）を網（３）から受信し、第２情報送信装置識別情報記憶手段（１１Ｃ）から第２情報送信装置識別情報（２０Ｂ）を読み出し、当該キー情報（１００Ａ）と当該第２情報送信装置識別情報（２０Ｂ）とを第２網（３Ｃ）に送信し、当該第２情報送信装置識別情報（２０Ｂ）で示される第２情報送信装置（２Ｂ）に第２網（３Ｃ）から当該キー情報（１００Ａ）が送信され、当該キー情報（１００Ａ）を対応づけられた通信端末情報（１Ａ）が通信端末情報記憶手段（２１）から読み出されたときの通信端末情報（１Ａ）が第２情報送信装置（２Ｂ）から第２網（３Ｃ）に通信端末（１）宛で送信されたとき、当該通信端末情報（１Ａ）を第２網（３Ｃ）から受信する通信端末（１）としたことで、図らずも情報送信装置識別情報（２０Ｂ）が通信端末（１）以外から情報送信装置（２Ｂ）に送信されてしまう可能性のある第２網（３Ｃ）を介する場合であっても、通信端末情報（１Ａ）を確実に通信端末（１）に送信し記憶させることができる。
【０１２３】
なお、第２の実施の形態に係る基本形態では２つの情報送信装置を用いたが、これらを１つの情報送信装置内に構成してもよい。
【０１２４】
［第２の実施の形態に係る第１の応用形態］
次に、第２の実施の形態に係る第１の応用形態を説明する。
【０１２５】
図１４は、第２の実施の形態に係る第１の応用形態のシステム構成図である。図１５は、この応用形態で用いられる情報送信装置２Ａのキー情報記憶部２１Ｂに記憶される内容を例示する図である。
【０１２６】
図１４に示すように、この応用形態では、通信端末１は、第２の実施の形態に係る基本形態の通信端末１と同様の構成を有するが、第２通信端末１Ｂ、例えば、携帯通信端末が接続されるため、情報送信装置識別情報記憶部１１を備えなくてもよい。通信端末１はケーブルを介して第２通信端末１Ｂに接続されるか、あるいは通信端末１と第２通信端末１Ｂとは短距離無線通信や赤外線通信が可能なように接続される。第２通信端末１Ｂは携帯通信網３Ｂに接続され、携帯通信網３Ｂに情報送信装置２Ａが接続される。
【０１２７】
情報送信装置２Ａは、キー情報記憶部２１Ｂに記憶される内容を除いては、第２の実施の形態に係る基本形態で用いられた情報送信装置２と同様の構成を有する。
【０１２８】
すなわち、図１５に示すように、情報送信装置２Ａのキー情報記憶部２１Ｂでは、第２通信端末識別情報１２Ａに対してキー情報１００Ａが対応づけられる。キー情報１００Ａは、暗号化されていることが好ましい。
【０１２９】
また、情報送信装置２Ａでは、制御部２３が、第２通信端末識別情報１２Ａを対応づけられたキー情報１００Ａをキー情報記憶部２１Ｂから読み出す手段として機能し、このキー情報１００Ａを通信制御部２２に与えるようになっている。
【０１３０】
図１４に戻り、通信端末１はＩＰ網３Ｃに接続される。ＩＰ網３Ｃには、第２の実施の形態に係る基本形態で用いられた情報送信装置２Ｂが接続される。
【０１３１】
［第２の実施の形態に係る第１の応用形態の動作］
図１４において、通信端末１が第２通信端末１ＢとＩＰ網３Ｃとに接続され、第２通信端末１Ｂに対し、情報送信装置識別情報２０Ａが入力されると、第２通信端末１Ｂが携帯通信網３Ｂに接続され、情報送信装置識別情報２０Ａが第２通信端末１Ｂから携帯通信網３Ｂに送信される。そして、情報送信装置２に携帯通信網３Ｂから第２通信端末識別情報１２Ａが送信される。
【０１３２】
情報送信装置２Ａでは、通信制御部２２がこの第２通信端末識別情報１２Ａを受信し、制御部２３に与える。制御部２３は、図１５に示すキー情報記憶部２１Ｂから、当該第２通信端末識別情報１２Ａを対応づけられたキー情報１００Ａを読み出し、このキー情報１００Ａを通信制御部２２に与える。通信制御部２２はこのキー情報１００Ａを携帯通信網３Ｂに第２通信端末１Ｂ宛で送信する。これにより、図１４に示すように、キー情報１００Ａは情報送信装置２Ａから携帯通信網３Ｂに送信され、携帯通信網３Ｂから第２通信端末１Ｂに送信され、第２通信端末１Ｂから通信端末１に送信される。
【０１３３】
これ以降の動作は、第２の実施の形態に係る基本形態のものと同様である。
【０１３４】
これにより、信頼性の低いＩＰ網３Ｃを介する場合であっても、通信端末情報１Ａを確実に通信端末１に送信することができる。
【０１３５】
以上のように、第２の実施の形態の第１の応用形態によれば、以下のような情報送受信方法、すなわち、通信端末（１）に送信される通信端末情報（１Ａ）に対応するキー情報（１００Ａ）が記憶されるキー情報記憶手段（２１Ｂ）で第２通信端末（１Ｂ）を示す第２通信端末識別情報（１２Ａ）がキー情報（１００Ａ）に対応づけられ、通信端末情報（１Ａ）が記憶される通信端末情報記憶手段（２１）で通信端末情報（１Ａ）にキー情報（１００Ａ）が対応づけられ、キー情報（１００Ａ）を送信する情報送信装置（２Ａ）と通信端末情報（１Ａ）を送信する第２情報送信装置（２Ｂ）の内の当該第２情報送信装置（２Ｂ）を示す第２情報送信装置識別情報（２０Ｂ）が記憶される第２情報送信装置識別情報記憶手段（１１Ｃ）が通信端末（１）に設けられ、通信端末（１）が第２通信端末（１Ｂ）に接続され、情報送信装置（２Ａ）を示す情報送信装置識別情報（２０Ａ）が第２通信端末（１Ｂ）に入力され第２通信端末（１Ｂ）が網（３Ｂ）に接続されたとき、第２通信端末（１Ｂ）が当該情報送信装置識別情報（２０Ａ）を網（３Ｂ）に送信するステップと、当該情報送信装置識別情報（２０Ａ）で示される情報送信装置（２Ａ）に第２通信端末（１Ｂ）を示す第２通信端末識別情報（１２Ａ）が網（３Ｂ）から送信され、当該第２通信端末識別情報（１２Ａ）を対応づけられたキー情報（１００Ａ）がキー情報記憶手段（２１Ｂ）から読み出されたときのキー情報（１００Ａ）を情報送信装置（２Ａ）が網（３Ｂ）に第２通信端末（１Ｂ）宛で送信するステップと、当該キー情報（１００Ａ）を第２通信端末（１Ｂ）が網（３Ｂ）から受信するステップと、当該キー情報（１００Ａ）を第２通信端末（１Ｂ）が通信端末（１）に送信するステップと、当該キー情報（１００Ａ）を通信端末（１）が受信するステップと、通信端末（１）が第２情報送信装置識別情報記憶手段（１１Ｃ）から第２情報送信装置識別情報（２０Ｂ）を読み出すステップと、当該第２情報送信装置識別情報（２０Ｂ）と当該キー情報（１００Ａ）とを通信端末（１）が第２網（３Ｃ）に送信するステップと、当該第２情報送信装置識別情報（２０Ｂ）で示される第２情報送信装置（２Ｂ）に当該キー情報（１００Ａ）が第２網（３Ｃ）から送信され、当該キー情報（１００Ａ）を対応づけられた通信端末情報（１Ａ）が通信端末情報記憶手段（２１）から読み出されたときの通信端末情報（１Ａ）を第２情報送信装置（２Ｂ）が第２網（３Ｃ）に通信端末（１）宛で送信するステップと、当該通信端末情報（１Ａ）を通信端末（１）が第２網（３Ｃ）から受信するステップとを有する情報送受信方法としたことで、図らずも情報送信装置識別情報（２０Ｂ）が情報送信装置（２Ｂ）に送信されてしまう可能性のある第２網（３Ｃ）を介する場合であっても、通信端末情報（１Ａ）を確実に通信端末（１）に送信し記憶させることができる。
【０１３６】
また、以下のような情報送信システム、すなわち、通信端末（１）に送信される通信端末情報（１Ａ）に対応するキー情報（１００Ａ）を送信する情報送信装置（２Ａ）と通信端末情報（１Ａ）を送信する第２情報送信装置（２Ｂ）とを有する情報送信システムであって、キー情報（１００Ａ）が記憶されるキー情報記憶手段（２１Ｂ）で第２通信端末（１Ｂ）を示す第２通信端末識別情報（１２Ａ）がキー情報（１００Ａ）に対応づけられ、通信端末情報（１Ａ）が記憶される通信端末情報記憶手段（２１）で通信端末情報（１Ａ）にキー情報（１００Ａ）が対応づけられ、第２情報送信装置（２Ｂ）を示す第２情報送信装置識別情報（２０Ｂ）が記憶される第２情報送信装置識別情報記憶手段（１１Ｃ）が通信端末（１）に設けられ、通信端末（１）が第２通信端末（１Ｂ）に接続され、情報送信装置（２Ａ）を示す情報送信装置識別情報（２０Ａ）が第２通信端末（１Ｂ）に入力され第２通信端末（１Ｂ）が網（３Ｂ）に接続され、当該情報送信装置識別情報（２０Ａ）が第２通信端末（１Ｂ）から網（３Ｂ）に送信され、当該情報送信装置識別情報（２０Ａ）で示される情報送信装置（２Ａ）に第２通信端末（１Ｂ）を示す第２通信端末識別情報（１２Ａ）が網（３Ｂ）から送信され、当該第２通信端末識別情報（１２Ａ）を対応づけられたキー情報（１００Ａ）がキー情報記憶手段（２１Ｂ）から読み出されたときのキー情報（１００Ａ）を網（３Ｂ）に第２通信端末（１Ｂ）宛で送信する手段（２２）を情報送信装置（２Ａ）が有し、当該キー情報（１００Ａ）が網（３Ｂ）から第２通信端末（１Ｂ）に送信され、当該キー情報（１００Ａ）が第２通信端末（１Ｂ）から通信端末（１）に送信され、当該キー情報（１００Ａ）が通信端末（１）で受信され、通信端末（１）で第２情報送信装置識別情報記憶手段（１１Ｃ）から第２情報送信装置識別情報（２０Ｂ）が読み出され、当該第２情報送信装置識別情報（２０Ｂ）と当該キー情報（１００Ａ）とが通信端末（１）から第２網（３Ｃ）に送信され、当該第２情報送信装置識別情報（２０Ｂ）で示される第２情報送信装置（２Ｂ）に当該キー情報（１００Ａ）が第２網（３Ｃ）から送信され、当該キー情報（１００Ａ）を対応づけられた通信端末情報（１Ａ）が通信端末情報記憶手段（２１）から読み出されたときの通信端末情報（１Ａ）を第２網（３Ｃ）に通信端末（１）宛で送信する手段（２２）を第２情報送信装置（２Ｂ）が有する情報送信システムとしたことで、図らずも情報送信装置識別情報（２０Ｂ）が通信端末（１）以外から情報送信装置（２Ｂ）に送信されてしまう可能性のある第２網（３Ｃ）を介する場合であっても、通信端末情報（１Ａ）を確実に通信端末（１）に送信し記憶させることができる。
【０１３７】
また、以下のような通信端末（１）、すなわち、通信端末（１）に送信される通信端末情報（１Ａ）に対応するキー情報（１００Ａ）が記憶されるキー情報記憶手段（２１Ｂ）で第２通信端末（１Ｂ）を示す第２通信端末識別情報（１２Ａ）がキー情報（１００Ａ）に対応づけられ、通信端末情報（１Ａ）が記憶される通信端末情報記憶手段（２１）で通信端末情報（１Ａ）にキー情報（１００Ａ）が対応づけられ、キー情報（１００Ａ）を送信する情報送信装置（２Ａ）と通信端末情報（１Ａ）を送信する第２情報送信装置（２Ｂ）とが設けられているとき当該第２情報送信装置（２Ｂ）を示す第２情報送信装置識別情報（２０Ｂ）が記憶される第２情報送信装置識別情報記憶手段（１１Ｃ）と、通信端末（１）が第２通信端末（１Ｂ）に接続され、情報送信装置（２Ａ）を示す情報送信装置識別情報（２０Ａ）が第２通信端末（１Ｂ）に入力され第２通信端末（１Ｂ）が網（３Ｂ）に接続され、第２通信端末（１Ｂ）から当該情報送信装置識別情報（２０Ａ）が網（３Ｂ）に送信され、当該情報送信装置識別情報（２０Ａ）で示される情報送信装置（２Ａ）に第２通信端末（１Ｂ）を示す第２通信端末識別情報（１２Ａ）が網（３Ｂ）から送信され、当該第２通信端末識別情報（１２Ａ）を対応づけられたキー情報（１００Ａ）がキー情報記憶手段（２１Ｂ）から読み出されたときのキー情報（１００Ａ）が情報送信装置（２Ａ）から網（３Ｂ）に第２通信端末（１Ｂ）宛で送信され、当該キー情報（１００Ａ）が第２通信端末（１Ｂ）で網（３Ｂ）から受信され、当該キー情報（１００Ａ）が第２通信端末（１Ｂ）から通信端末（１）に送信されたとき、第２情報送信装置識別情報記憶手段（１１Ｃ）から第２情報送信装置識別情報（２０Ｂ）を読み出す手段（１４）と、当該第２情報送信装置識別情報（２０Ｂ）と当該キー情報（１００Ａ）とを第２網（３Ｃ）に送信する手段（１３）とを備え、当該第２情報送信装置識別情報（２０Ｂ）で示される第２情報送信装置（２Ｂ）に当該キー情報（１００Ａ）が第２網（３Ｃ）から送信され、当該キー情報（１００Ａ）を対応づけられた通信端末情報（１Ａ）が通信端末情報記憶手段（２１）から読み出されたときの通信端末情報（１Ａ）が第２情報送信装置（２Ｂ）から第２網（３Ｃ）に通信端末（１）宛で送信されたとき、当該通信端末情報（１Ａ）を第２網（３Ｃ）から受信する通信端末（１）としたことで、図らずも情報送信装置識別情報（２０Ｂ）が通信端末（１）以外から情報送信装置（２Ｂ）に送信されてしまう可能性のある第２網（３Ｃ）を介する場合であっても、通信端末情報（１Ａ）を確実に通信端末（１）に送信し記憶させることができる。
【０１３８】
なお、第２の実施の形態に係る第１の応用形態でも２つの情報送信装置を用いたが、これらを１つの情報送信装置内に構成してもよい。
【０１３９】
また、上記した各基本形態および応用形態の情報送信装置を複数設け、いずれかの情報送信装置が機能しなくなったときは、他の情報送信装置で上記処理を行うようにしてもよい。また、いずれかの情報送信装置に記憶された失われた場合、他の情報送信装置から補うようにしてもよい。
【０１４０】
また、上記した各基本形態および応用形態の通信端末や情報送信装置に各処理を実行させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【図面の簡単な説明】
【０１４１】
【図１】第１の実施の形態に係る基本形態のシステム構成図である。
【図２】第１の実施の形態に係る基本形態の通信端末１と情報送信装置２と回線交換網３のそれぞれの構成図である。
【図３】第１の実施の形態に係る基本形態の通信端末情報記憶部２１に記憶される内容を例示する図である。
【図４】第１の実施の形態に係る第２の応用形態の説明図である。
【図５】第１の実施の形態に係る第２の応用形態において通信端末情報記憶部２１に記憶される内容を例示する図である。
【図６】第１の実施の形態に係る第２の応用形態で用いられる通信端末１の構成図である。
【図７】第１の実施の形態に係る第３の応用形態の説明図である。
【図８】第１の実施の形態に係る第４の応用形態のシステム構成図である。
【図９】第１の実施の形態に係る第４の応用形態において通信端末情報記憶部２１に記憶される内容を例示する図である。
【図１０】第２の実施の形態に係る基本形態のシステム構成図である。
【図１１】第２の実施の形態に係る基本形態で用いられる情報送信装置２Ａのキー情報記憶部２１Ｂに記憶される内容を例示する図である。
【図１２】第２の実施の形態に係る基本形態で用いられる情報送信装置２Ｂの通信端末情報記憶部２１に記憶される内容を例示する図である。
【図１３】第２の実施の形態に係る基本形態で用いられる通信端末１の構成図である。
【図１４】第２の実施の形態に係る第１の応用形態のシステム構成図である。
【図１５】第２の実施の形態に係る第１の応用形態で用いられる情報送信装置２Ａのキー情報記憶部２１Ｂに記憶される内容を例示する図である。
【符号の説明】
【０１４２】
１…通信端末
１Ａ…通信端末情報
１Ｂ…第２通信端末
２，２Ａ，２Ｂ…情報送信装置
３…回線交換網
３Ｂ…携帯通信網
３Ｃ…ＩＰ網
４…データベースシステム
４Ａ，４Ｂ，５…有線伝送路
１０Ａ…通信端末識別情報
１０Ｂ…付加情報
１１…情報送信装置識別情報記憶部
１１Ｂ…付加情報記憶部
１１Ｃ…情報送信装置識別情報記憶部
１２…通信端末情報記憶部
１２Ａ…第２通信端末識別情報
１３，２２…通信制御部
１４，２３…制御部
２０Ａ，２０Ｂ…情報送信装置識別情報
２１…通信端末情報記憶部
２１Ｂ…キー情報記憶部
３１Ａ，３１Ｂ，３１５…伝送路収容部
３２…交換制御部
１００Ａ…キー情報
【図１】
2006254069.tif 000003
【図２】
2006254069.tif 000004
【図３】
2006254069.tif 000005
【図４】
2006254069.tif 000006
【図５】
2006254069.tif 000007
【図６】
2006254069.tif 000008
【図７】
2006254069.tif 000009
【図８】
2006254069.tif 000010
【図９】
2006254069.tif 000011
【図１０】
2006254069.tif 000012
【図１１】
2006254069.tif 000013
【図１２】
2006254069.tif 000014
【図１３】
2006254069.tif 000015
【図１４】
2006254069.tif 000016
【図１５】
2006254069.tif 000017